(57)【要約】【課題】高変倍比で、かつ全長の小型化に有利であり、広角端付近での周辺光量も確保しやすいズームレンズ等を提供すること。【解決手段】最も遠距離の被写体に合焦した状態における広角端から望遠端への変倍時に第１レンズ群は広角端よりも望遠端で物体側に位置するように移動し、第２レンズ群は広角端よりも望遠端で像側に位置するように移動し、明るさ絞りと第３レンズ群は広角端よりも望遠端で物体側に位置するように移動し、広角端にて第１、２レンズ群の合成系が負屈折力を有し、広角端から望遠端への変倍の途中にて、広角端における第２レンズ群の位置よりも物体側に第２レンズ群が位置し、第１レンズ群は広角端よりも中間ズーム状態で物体側に位置するように移動し、明るさ絞りと第３レンズ群と第３レンズ群の物点は広角端よりも中間ズーム状態で物体側に位置するように移動し、所定の条件式を満足する。【選択図】図１
2008209773.tif 000002
【特許請求の範囲】
【請求項１】
物体側から順に、
正屈折力を有する第１レンズ群と、
負屈折力を有する第２レンズ群と、
正屈折力を有する第３レンズ群を含む正屈折の後群、とからなり、
前記第２レンズ群と前記第３レンズ群との間に配置された明るさ絞りを有し、
最も遠距離の被写体に合焦した状態における広角端から望遠端への変倍時に
前記第１レンズ群は広角端よりも望遠端で物体側に位置するように移動し、
前記第２レンズ群は広角端よりも望遠端で像側に位置するように移動し、
前記明るさ絞りは広角端よりも望遠端で物体側に位置するように移動し、
前記第３レンズ群は広角端よりも望遠端で物体側に位置するように移動し、
広角端にて前記第１レンズ群と前記第２レンズ群との合成系が負の屈折力を有し、
前記広角端から望遠端への変倍の途中にて、広角端における前記第２レンズ群の位置よりも物体側に前記第２レンズ群が位置し、
前記第２レンズ群が最も物体側に位置するときの状態を中間ズーム状態と定義したとき、前記第１レンズ群は広角端よりも中間ズーム状態で物体側に位置するように移動し、
前記明るさ絞りは広角端よりも中間ズーム状態で物体側に位置するように移動し、
前記第３レンズ群は広角端よりも中間ズーム状態で物体側に位置するように移動し、
前記第３レンズ群の物点が広角端よりも中間ズーム状態にて物体側に位置するように移動し、
以下の条件式を満足することを特徴とするズームレンズ。
５．０＜ｆｔ／ｆｗ＜１５．０    ・・・（２１）
ただし、
ｆｗは広角端での前記ズームレンズ全系の焦点距離、
ｆｔは望遠端での前記ズームレンズ全系の焦点距離、
である。
【請求項２】
広角端から望遠端への変倍にて、
以下の条件式を満足することを特徴とする請求項１に記載のズームレンズ。
０．０６＜Δ２Ｇ_ws／ｆw＜１．５  ・・・（１）
−０．６＜Δ２Ｇ_st／ｆｔ＜−０．０２  ・・・（２）
ただし、
Δ２Ｇ_wsは、前記第２レンズ群の広角端での位置と中間ズーム状態での位置の距離の差、
Δ２Ｇ_stは、前記第２レンズ群の中間ズーム状態での位置と望遠端での位置の距離の差、
ｆwは、広角端での前記ズームレンズ全系の焦点距離、
ｆtは、望遠端での前記ズームレンズ全系の焦点距離、
であり、
符号は像側に進む方向が負符号、物体側に進む方向が正符号である。
【請求項３】
広角端から望遠端への変倍にて、
以下の条件式を満足することを特徴とする請求項２に記載のズームレンズ。
０．９＜Δ１Ｇ_ws／Δ２Ｇ_ws＜１０．０      ・・・（Ａ）
−２．０＜Δ１Ｇ_st／Δ２Ｇ_st＜０．３        ・・・（Ｂ）
２．０＜Δ３Ｇ_ws／Δ２Ｇ_ws＜１０．０      ・・・（Ｃ）
−１．５＜Δ３Ｇ_st／Δ２Ｇ_st＜０．５        ・・・（Ｄ）
ただし、
Δ１Ｇ_wsは、前記第１レンズ群の広角端での位置と中間ズーム状態での位置の距離の差、
Δ１Ｇ_stは、前記第１レンズ群の中間ズーム状態での位置と望遠端での位置の距離の差、
Δ３Ｇ_wsは、前記第３レンズ群の広角端での位置と中間ズーム状態での位置の距離の差、
Δ３Ｇ_stは、前記第３レンズ群の中間ズーム状態での位置と望遠端での位置の距離の差、
であり、
符号は像側に進む方向が負符号、物体側に進む方向が正符号である。
【請求項４】
前記後群が、前記第３レンズ群の像側に配置された正の屈折力の第４レンズ群を有し、
前記ズームレンズが４群ズームレンズであることを特徴とする請求項２または３に記載のズームレンズ。
【請求項５】
以下の条件式を満足することを特徴とする請求項４に記載のズームレンズ。
０．８＜β4Gs／β4Gw＜１．３      ・・・（Ｅ）
１．３＜β3Gs／β3Gw＜３．０      ・・・（Ｆ）
−１．３＜β3Gｗ＜−０．８        ・・・（Ｇ）
ただし、
β3Gwは、広角端における前記第３レンズ群の横倍率、
β3Gsは、中間ズーム状態における前記第３レンズ群の横倍率、
β4Gwは、広角端における前記第４レンズ群の横倍率、
β4Gsは、中間ズーム状態における前記第４レンズ群の横倍率、
である。
【請求項６】
前記後群が、前記第３レンズ群の像側に配置された負の屈折力の第４レンズ群と正の屈折力の第５レンズ群を有し、
前記第４レンズ群は広角端よりも中間ズーム状態で物体側に位置するように移動し、
前記ズームレンズが５群ズームレンズであることを特徴とする請求項２または３に記載のズームレンズ。
【請求項７】
以下の条件式を満足することを特徴とする請求項６に記載のズームレンズ。
０．８＜β5Gs／β5Gw＜１．３          （Ｈ）
１．３＜β34Gs／β34Gw＜３．０        （Ｉ）
−１．３＜β34Gw＜−０．９          （Ｊ）
ただし、
β34Gwは、広角端における前記第３レンズ群と前記第４レンズ群の合成系の横倍率、
β34Gsは、中間ズーム状態における前記第３レンズ群と前記第４レンズ群の合成系の横倍率、
β5Gwは、広角端における前記第５レンズ群の横倍率、
β5Gsは、中間ズーム状態における前記第５レンズ群の横倍率、
である。
【請求項８】
前記第２レンズ群の最も物体側のレンズ面が凹面であり、
前記第１レンズ群の最も像側のレンズ面が凸面であることを特徴とする請求項１〜７のいずれか１項に記載のズームレンズ。
【請求項９】
前記第２レンズ群は、前記第２レンズ群中の最も物体側に配置された負レンズＬ2n1とそれより像側に配置された負レンズＬ2n2、の２枚の負レンズと、１枚の正レンズＬ2pを有し、
前記第２レンズ群に含まれる総レンズ枚数が３枚であることを特徴とする請求項１〜８のいずれか一項に記載のズームレンズ。
【請求項１０】
以下の条件式を満足することを特徴とする請求項９に記載のズームレンズ。
−０．５＜ＳＦ2n1＜１．０    ・・・（３）
ただし、ＳＦ2n1＝（Ｒ2n1f＋Ｒ2n1r）／（Ｒ2n1f−Ｒn1r）で定義され、
Ｒ2n1fは前記負レンズＬ2n1の物体側面の近軸曲率半径、
Ｒ2n1rは前記負レンズＬ2n1の像側面の近軸曲率半径、
である。
【請求項１１】
以下の条件式を満足することを特徴とする請求項９または１０に記載のズームレンズ。
１．７８＜ｎd2n1＜２．２０    ・・・（４）
３５＜νd2n1＜５０    ・・・（５）
ただし、
ｎd2n1は前記負レンズＬ2n1のｄ線に対する屈折率、
νd2n1は前記負レンズＬ2n1のアッベ数、
である。
【請求項１２】
以下の条件式を満足することを特徴とする請求項９〜１１のいずれか一項に記載のズームレンズ。
１．７８＜ｎd2n2＜２．００    ・・・（６）
３５＜νd2n2＜５０    ・・・（７）
ただし、
ｎd2n2は前記負レンズＬ2n2のｄ線に対する屈折率、
νd2n2は前記負レンズＬ2n2のアッベ数、
である。
【請求項１３】
以下の条件式を満足することを特徴とする請求項９〜１２のいずれか一項に記載のズームレンズ。
１．８４＜ｎd2p＜２．２０    ・・・（８）
１３＜νd2p＜３０        ・・・（９）
ただし、
ｎd2pは前記正レンズＬ2pのｄ線に対する屈折率、
νd2pは前記正レンズＬ2pのアッベ数、
である。
【請求項１４】
前記第２レンズ群中の前記負レンズＬ2n1は片面または両面が非球面であり、
以下の条件式を満足することを特徴とする請求項９〜１３のいずれか一項に記載のズームレンズ。
０．００５＜（｜ａｓｐ2n1f｜＋｜ａｓｐ2n1r|）／ｆｗ＜０．１  ・・・（１０）
ただし、
ａｓｐ2n1fは、前記第２レンズ群中の最も物体側の負レンズの物体側のレンズ面における非球面偏倚量、
ａｓｐ2n1rは、前記第２レンズ群中の最も物体側の負レンズの像側のレンズ面における非球面偏倚量、
ｆwは、広角端での前記ズームレンズ全系の焦点距離、
である。
【請求項１５】
前記第２レンズ群は、物体側から順に、前記負レンズＬ2n1、前記負レンズＬ2n2、前記正レンズＬ2pからなることを特徴とする請求項９〜１４のいずれか一項に記載のズームレンズ。
【請求項１６】
前記第２レンズ群は、物体側から順に、前記負レンズＬ2n1、前記正レンズＬ2p、前記負レンズＬ2n2からなることを特徴とする請求項９〜１４のいずれか一項に記載のズームレンズ。
【請求項１７】
前記第１レンズ群は、正レンズＬ1p、負レンズＬ1nを有し、
前記第１レンズ群中のレンズ枚数は２枚であることを特徴とする請求項１〜１６のいずれか一項に記載のズームレンズ。
【請求項１８】
前記第１レンズ群中の前記負レンズＬ1nと前記正レンズＬ1pはそれぞれ単レンズであることを特徴とする請求項１７に記載のズームレンズ。
【請求項１９】
前記第１レンズ群の前記負レンズＬ1nと前記正レンズＬ1pの光軸上での間隔が、以下の条件式を満足することを特徴とする請求項１８に記載のズームレンズ。
０.０≦ｄ1np／ｄ1＜０．２      ・・・（１２）
ただし、
ｄ1npは、前記第１レンズ群の前記負レンズＬ1nと前記正レンズＬ1pとの光軸上での間隔、
ｄ1は、前記第１レンズ群の光軸上の総厚み、
である。
【請求項２０】
前記第１レンズ群の前記負レンズＬ1nと前記正レンズＬ1pは接合されていることを特徴とする請求項１７に記載のズームレンズ。
【請求項２１】
以下の条件式を満足することを特徴とする請求項１７〜２０のいずれか一項に記載のズームレンズ。
１．４７＜ｎd1p＜１．９０    ・・・（１３）
４０＜νd1p＜８５            ・・・（１４）
１．７５＜ｎd1n＜２．０５    ・・・（１５）
１２＜νd1n＜３１            ・・・（１６）
ただし、
ｎd1pは前記正レンズＬ1pのｄ線に対する屈折率、
νd1pは前記正レンズＬ1pのアッベ数、
ｎd1nは前記正レンズＬ1nのｄ線に対する屈折率、
νd1nは前記正レンズＬ1nのアッベ数、
である。
【請求項２２】
前記第１レンズ群は、物体側から順に、前記負レンズＬ1n、前記正レンズＬ1pからなることを特徴とする請求項１７〜２１のいずれか一項に記載のズームレンズ。
【請求項２３】
前記第３レンズ群が３枚以下のレンズからなることを特徴とする請求項１〜２２のいずれか一項に記載のズームレンズ。
【請求項２４】
前記第３レンズ群は物体側から順に、正レンズ、正レンズ、負レンズの３枚のレンズからなることを特徴とする請求項２３に記載のズームレンズ。
【請求項２５】
以下の条件式を満足することを特徴とする請求項１〜２４のいずれか一項に記載のズームレンズ。
０．０８＜｜ｆ2／ｆt｜＜０．２４    ・・・（１７）
ただし、
ｆ2は、前記第２レンズ群の焦点距離、
ｆtは、望遠端での前記ズームレンズ全系の焦点距離、
である。
【請求項２６】
以下の条件式を満足することを特徴とする請求項１〜２５のいずれか一項に記載のズームレンズ。
０．３＜ｆ1／ｆt＜０．９５    ・・・（１８）
ただし、
ｆ1は前記第１レンズ群の焦点距離、
ｆtは望遠端での前記ズームレンズ全系の焦点距離、
である。
【請求項２７】
以下の条件式を満足することを特徴とする請求項１〜２６のいずれか一項に記載のズームレンズ。
０．１＜ｆ3／ｆt＜０．５    ・・・（１９）
ただし、
ｆ3は前記第３レンズ群の焦点距離、
ｆtは望遠端での前記ズームレンズ全系の焦点距離、
である。
【請求項２８】
前記後群は最も像側に、前記第３レンズ群とは異なる正の屈折力のレンズ群を有し、
以下の条件式を満足することを特徴とする請求項１〜２７のいずれか一項に記載のズームレンズ。
０．２＜ｆRE／ｆt＜０．６    ・・・（２０）
ただし、
ｆREは、前記後群中の最も像側に位置するレンズ群の焦点距離、
ｆtは、望遠端での前記ズームレンズ全系の焦点距離、
である。
【請求項２９】
請求項１〜２８のいずれか一項に記載のズームレンズと、
前記ズームレンズにより形成された像を電気信号に変換する撮像素子を有することを特徴とする電子撮像装置。
【請求項３０】
以下の条件式を満足することを特徴とする請求項２９に記載の電子撮像装置。
０．４＜Ｉm／ｆw＜０．８      ・・・（２２）
ただし、
Ｉmは有効撮像領域における最大像高、
ｆwは広角端での前記ズームレンズ全系の焦点距離、
である。
【発明の詳細な説明】
【技術分野】
【０００１】
本発明は、ズームレンズに関するものである。また、デジタルカメラをはじめとする電子撮像装置に関するものである。
【背景技術】
【０００２】
近年では、銀塩フィルムカメラに代わり、ＣＣＤやＣＭＯＳのような固体撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。普及タイプのデジタルカメラのユーザーは、いつでもどこでも手軽に幅広いシーンで撮影を楽しみたいという要望をもっている。そのため、小型な商品、特に服やカバンのポケット等への収納性がよく持ち運びが便利な、厚み方向のサイズが薄型であるタイプのデジタルカメラが好まれるようになっている。
【０００３】
一方、コンパクトタイプのデジタルカメラの変倍比は３倍程度が一般的であったが、更に撮影領域を広げるために従来よりも高変倍比のカメラが求められている。
【０００４】
高変倍比を得やすいズームレンズのタイプとして、物体側から順に正屈折力の第１レンズ群、負屈折力の第２レンズ群、正屈折力の第３レンズ群を有する３群以上の構成のズームレンズが知られている。例えば、約４．５倍の変倍比をもつズームレンズとして以下の特許文献１、２、３のものが知られている。
【０００５】
これらのズームレンズは、第２、第３レンズ群に変倍機能を持たせやすくするために、
広角端に対して望遠端にて、第１レンズ群、第３レンズ群を物体側に移動させ、第２レンズ群を固定もしくは像側に移動させている。
【０００６】
【特許文献１】特開２００５‐２４２１１６号公報
【特許文献２】特開２００５‐３２６７４３号公報
【特許文献３】特開２００６‐７８９７９号公報
【発明の開示】
【発明が解決しようとする課題】
【０００７】
しかしながら、これらの先行技術に開示されたズームレンズの広角端の位置から第３レンズ群をさらに像側に移動させて、さらに変倍比を大きくしようとすると、第３レンズ群の物点は物体側に移動することになり、物理的に広角端でのズームレンズ全長は長くならざるを得ない。広角端での全長の増大は、周辺光量を確保のために第１、第２レンズ群の径の大型化につながる。また、未使用時にズームレンズを撮像装置に沈胴収納する構成の場合、撮影準備の際のレンズ群の移動量が大きくなりやすく、駆動時間が長くなることや、駆動電力消費が大きくなりやすい。
【０００８】
本発明は、上記に鑑みてなされたものであって、レンズ群の移動方式の工夫により、高変倍比でありながら全長の小型化に有利であり、広角端付近での周辺光量も確保しやすいズームレンズ及びそのズームレンズを用いた電子撮像装置の提供を目的とする。
【課題を解決するための手段】
【０００９】
上述した課題を解決し、目的を達成するために、第１のズームレンズは、物体側から順に、正屈折力を有する第１レンズ群と、負屈折力を有する第２レンズ群と、正屈折力を有する第３レンズ群を含む正屈折の後群、とからなり、第２レンズ群と第３レンズ群との間に配置された明るさ絞りを有し、最も遠距離の被写体に合焦した状態における広角端から望遠端への変倍時に第１レンズ群は広角端よりも望遠端で物体側に位置するように移動し、第２レンズ群は広角端よりも望遠端で像側に位置するように移動し、明るさ絞りは広角端よりも望遠端で物体側に位置するように移動し、第３レンズ群は広角端よりも望遠端で物体側に位置するように移動し、広角端にて第１レンズ群と第２レンズ群との合成系が負の屈折力を有し、広角端から望遠端への変倍の途中にて、広角端における第２レンズ群の位置よりも物体側に第２レンズ群が位置し、第２レンズ群が最も物体側に位置するときの状態を中間ズーム状態と定義したとき、第１レンズ群は広角端よりも中間ズーム状態で物体側に位置するように移動し、明るさ絞りは広角端よりも中間ズーム状態で物体側に位置するように移動し、第３レンズ群は広角端よりも中間ズーム状態で物体側に位置するように移動し、第３レンズ群の物点が広角端よりも中間ズーム状態にて物体側に位置するように移動し、以下の条件式を満足することを特徴とする。
【００１０】
５．０＜ｆｔ／ｆｗ＜１５．０    ・・・（２１）
ただし、
ｆｗは広角端でのズームレンズ全系の焦点距離、
ｆｔは望遠端でのズームレンズ全系の焦点距離
である。
【００１１】
以下、第１のズームレンズおいて、上記構成をとった理由と作用を説明する。本発明のズームレンズは高変倍比化しやすくするために、物体側から順に、正屈折力を有する第１レンズ群と、負屈折力を有する第２レンズ群と、正屈折力を有する第３レンズ群を含む正屈折力の後群とからなる。
【００１２】
そして、広角端から望遠端への変倍時に、第１レンズ群は広角端よりも望遠端で物体側に位置するように移動し、第２レンズ群は広角端よりも望遠端で像側に位置するように移動し、第３レンズ群は広角端よりも望遠端で物体側に位置するように移動する。
【００１３】
このような構成をとることにより、第２レンズ群と第３レンズ群に変倍の負担を効率的に分担させ、変倍時の収差変動を小さく抑えつつ、また各群の移動量が大きくなることを防ぎ、ズームレンズのコンパクト化につながる。
【００１４】
また、第２レンズ群と第３レンズ群との間に明るさ絞りを配置し、広角端よりも望遠端で物体側に位置するように移動させる。それにより、第３レンズ群へ入射する軸外光束の入射高を抑え、第３レンズ群の小型化に有利となり、また、第３レンズ群が移動するスペースも確保しやすくしている。
【００１５】
また、開口絞りを移動させることにより、倍率色収差や歪曲収差の効果的補正が可能になって性能面で効果を出すことができる。
【００１６】
また、広角端でのズームレンズ全長を抑えやすくするため、本発明は、広角端にて第１、第２レンズ群の合成系が負の屈折力を持つように構成し、かつ、第２レンズ群が広角端から望遠端への変倍の際に、物体側に凸の軌跡で移動する領域を持たせるようにしている。
【００１７】
具体的には、広角端から望遠端への変倍の途中にて、広角端における第２レンズ群の位置よりも物体側に第２レンズ群が位置し、第２レンズ群が最も物体側に位置するときの状態を中間ズーム状態と定義したとき、第１レンズ群は広角端よりも中間ズーム状態で物体側に位置するように移動し、明るさ絞りは広角端よりも中間ズーム状態で物体側に位置するように移動し、第３レンズ群は広角端よりも中間ズーム状態で物体側に位置するように移動し、第３レンズ群の物点が広角端よりも中間ズーム状態にて物体側に位置する構成としている。
【００１８】
この構成による機能を図２２、図２３の概略図を用いて説明する。図２２の（ａ）は、第３レンズ群の物点（ＯＧ３)が広角端から変倍途中の状態にかけての増倍時に像側に移動する場合の説明図である。図２２の（ｂ）は、第３レンズ群の物点（ＯＧ３）が広角側から変倍途中の状態にかけての増倍時に物体側に移動する場合の説明図である。
【００１９】
広角端において第１レンズ群（Ｇ１）、第２レンズ群（Ｇ２）の合成系が負の屈折力を有する前群となることで、正屈折力の後群（ＧＲ）とともに広角端にてレトロフォーカスタイプのレンズ系を構成する。
【００２０】
このとき、図２２の（ａ）のように第３レンズ群の物点（ＯＧ３）が広角側での増倍時に像側に移動する構成とすると、この増倍時に第２レンズ群を像側に移動させなければ像面位置の変動の補償ができない構成となる。言い換えれば、広角端での全長を短くできなくなる。一方、図２３の（ａ）、（ｂ）のように第３レンズ群の物点（ＯＧ３）が広角側の増倍時に物体側に移動する構成とすると、第１、第２レンズ群を広角側の増倍時にて物体側に移動させることが可能となる。つまり、広角端での全長を短くする上で有利となる。
【００２１】
また、第２レンズ群を広角端から中間ズーム状態にて物体側に移動させることで、第１レンズ群と第２レンズ群との間の間隔変化を抑えやすくなり、収差変動を抑えやすくなる。
【００２２】
第３レンズ群を広角端よりも中間ズーム状態で物体側に位置するように移動させることで、広角側（広角端から中間ズーム状態までの変倍）にて第３レンズ群に変倍負担を持たせることができる。
【００２３】
また、第１レンズ群を広角端よりも中間ズーム状態で物体側に位置するように移動させることで、第２レンズ群の物体側への移動範囲を確保できる。明るさ絞りを広角端よりも中間ズーム状態で物体側に位置するように移動させることで、第１、第２レンズ群へ入射する軸外光束の高さを低く抑えられる。
【００２４】
特に広角端での第１レンズ群の外径を小さくすることはレンズの厚み方向の大きさのコンパクト化にも有利となる。また、上述の明るさ絞りの移動により、全変倍域の中で撮像素子への入射角が良好となる変倍域の確保に有利となる。
【００２５】
一方、望遠側（ズーム中間状態から望遠端への変倍）の第２レンズ群の移動に際しては、第２レンズ群を広角端よりも望遠端で像側に位置するように像側に移動させ、第２レンズ群に変倍機能を負担させるのが良い。望遠側における第３レンズ群の変倍の負担を軽減できる。また、ＦNOの変動を抑えやすくでき望遠端での明るさの確保に有利となる。
【００２６】
条件式（２１）はズームレンズの変倍比を特定するものである。条件式(２１)の下限を下回らないようにして変倍比を確保することで、本発明のズームレンズの小型化、高変倍比化を両立する機能を充分に発揮できる。一方、条件式（２１）の上限を上回らないようにして、光学性能を確保や、ズームレンズの全長の短縮等をしやすくすることが好ましい。
【００２７】
条件式（２１）の下限値を５．５、さらには６．０とするとより好ましい。条件式（２１）の上限値を１２．０、さらには１０．０とするとより好ましい。なお、上述の構成、および以下に示す各構成は、いずれもズームレンズが最も遠距離の被写体に合焦した状態での構成である。
【００２８】
さらには、以下の構成とすることが好ましい。このため、第２のズームレンズは、第１のズームレンズにおいて、広角端から望遠端への変倍にて、以下の条件式を満足することが望ましい。
【００２９】
０．０６＜Δ２Ｇ_ws／ｆw＜１．５        ・・・（１）
−０．６＜Δ２Ｇ_st／ｆｔ＜−０．０２    ・・・（２）
ただし、
Δ２Ｇ_wsは、第２レンズ群の広角端での位置と中間ズーム状態での位置の距離の差、
Δ２Ｇ_stは、第２レンズ群の中間ズーム状態での位置と望遠端での位置の距離の差、
ｆwは、広角端でのズームレンズ全系の焦点距離、
ｆtは、望遠端でのズームレンズ全系の焦点距離、
であり、
符号は像側に進む方向が負符号、物体側に進む方向が正符号である。
【００３０】
第２のズームレンズにおいて上記構成をとった理由と作用を説明する。条件式（１）は広角端から中間ズーム状態における第２レンズ群の移動量を特定するものである。
【００３１】
条件式（１）の下限値を下回らないようにすることで、広角側での変倍にて第２レンズ群の物体側への移動量を確保し、第１、第２レンズ群の間隔の変化を抑えやすくなり、第１レンズ群の径の小型化に有利となる。また、広角側の変倍時での軸外収差の変動を抑えやすくなる。条件式（１）の上限を上回らないようにすることで、第２レンズ群による変倍負担を確保しやすくなり高変倍比化に有利となる。
【００３２】
条件式（２）は中間ズーム状態から望遠端における第２レンズ群の移動量を特定するものである。条件式（２）の下限を下回らないようにすることで、第２レンズ群の移動量を抑え、第２レンズ群を移動させるための鏡筒の大型化を抑えやすくなる。条件式（２）の上限を上回らないようにすることで、第２レンズ群による変倍機能を確保し、高変倍比化に有利となる。また、望遠端での明るさ確保に有利となる。
【００３３】
条件式（１）の下限値を０．０９、さらには０．１２とするとより好ましい。条件式（１）の上限値を１．０、さらには０．５とするとより好ましい。条件式（２）の下限値を−０．３、さらには−０．１５とするとより好ましい。条件式（２）の上限値を−０．０３、さらには−０．０４とするとより好ましい。
【００３４】
さらに、以下の構成とすることが好ましい。このため、第３のズームレンズは、第２のズームレンズにおいて、広角端から望遠端への変倍にて、以下の条件式を満足することが望ましい。
【００３５】
０．９＜Δ１Ｇ_ws／Δ２Ｇ_ws＜１０．０      ・・・（Ａ）
−２．０＜Δ１Ｇ_st／Δ２Ｇ_st＜０．３        ・・・（Ｂ）
２．０＜Δ３Ｇ_ws／Δ２Ｇ_ws＜１０．０      ・・・（Ｃ）
−１．５＜Δ３Ｇ_st／Δ２Ｇ_st＜０．５        ・・・（Ｄ）
ただし、
Δ１Ｇ_wsは、第１レンズ群の広角端での位置と中間ズーム状態での位置の距離の差、
Δ１Ｇ_stは、第１レンズ群の中間ズーム状態での位置と望遠端での位置の距離の差、
Δ３Ｇ_wsは、第３レンズ群の広角端での位置と中間ズーム状態での位置の距離の差、
Δ３Ｇ_stは、第３レンズ群の中間ズーム状態での位置と望遠端での位置の距離の差、
であり、
符号は像側に進む方向が負符号、物体側に進む方向が正符号である。
【００３６】
第３のズームレンズにおいて上記構成をとった理由と作用を説明する。条件式（Ａ）、(Ｂ）、(Ｃ）、(Ｄ）は、第１、第２、第３レンズ群の移動の関係を特定するものである。それぞれの条件式を満足することで、広角側では第３レンズ群を含む後群に変倍機能を持たせ、望遠側では第２レンズ群での変倍機能を確保でき、変倍比の確保と全長短縮のバランスをとりやすくなる。
【００３７】
条件式（Ａ）、(Ｂ）は第１レンズ群と第２レンズ群の移動の関係について特定するものである。条件式（Ａ）の下限を下回らないようにすることで、広角端での第１レンズ群と第２レンズ群との軸上距離が広がりすぎることを抑えて、第１レンズ群の径の小型化に有利となる。条件式（Ａ）の上限を上回らないようにすることで、広角側での第１レンズ群の移動量を抑え、中間ズーム状態でのズームレンズの全長を抑えやすくなる。
【００３８】
条件式（Ｂ）の下限を下回らないようにすることで、望遠側での第１レンズ群の移動量を抑え、望遠端でのズームレンズ全長短縮に有利となる。条件式（Ｂ）の上限を上回らないようにすることで、望遠側での第１レンズ群と第２レンズ群との間隔変化を確保し、望遠側での第２レンズ群の変倍機能を確保することで変倍比を確保しやすくなる。
【００３９】
条件式（Ｃ）、（Ｄ）は第２レンズ群と第３レンズ群の移動の関係を特定するものである。条件式（Ｃ）の下限を下回らないようにすることで、広角側での第３レンズ群の変倍への寄与を確保することで、高変倍比化しやすくなる。条件式（Ｃ）の上限を上回らないようにすることで、広角端での第２レンズ群と第３レンズ群との間隔を抑え、広角端でのズームレンズ全長を小さくしやすくなる。
【００４０】
条件式（Ｄ）の下限を下回らないようにすることで、望遠側での第２レンズ群の変倍負担を確保しやすくなる、また、望遠端での明るさの確保にも有利になる。条件式（Ｄ）の上限を上回らないようにすることで、望遠端での第１レンズ群から入射瞳までの距離を抑えられ、第１レンズ群の径の小型化に有利となる。
【００４１】
条件式（Ａ）の下限値を１．０とするとより好ましい。条件式（Ａ）の上限値を６．０とするとより好ましい。条件式（Ｂ）の下限値を−１．０とするとより好ましい。条件式（Ｂ）の上限値を０．０とするとより好ましい。条件式（Ｃ）の下限値を２．５とするとより好ましい。条件式（Ｃ）の上限値を７．０とするとより好ましい。条件式（Ｄ）の下限値を−１．２とするとより好ましい。条件式（Ｄ）の上限値を０．３とするとより好ましい。
【００４２】
また、第４のズームレンズは、第２〜第３のズームレンズにおいて、以下の構成とすることが好ましい。
【００４３】
後群が、第３レンズ群の像側に配置された正の屈折力の第４レンズ群を有し、ズームレンズが４群ズームレンズであることが好ましい。
【００４４】
第４のズームレンズにおいて上記構成をとった理由と作用を説明する。正屈折力の後群を正屈折力を有する２つのレンズ群とすることで、ズームレンズの全長の短縮化に一層有利となる。特に、第４レンズ群が広角端に対して望遠端で像側に位置するようにすると、第４レンズ群にも変倍機能を負担させられ、変倍比の確保に一層有利となる。
【００４５】
また、第５のズームレンズは、第４のズームレンズにおいて、以下の条件式を満足することが好ましい。
【００４６】
０．８＜β4Gs／β4Gw＜１．３      ・・・（Ｅ）
１．３＜β3Gs／β3Gw＜３．０      ・・・（Ｆ）
−１．３＜β3Gｗ＜−０．８        ・・・（Ｇ）
ただし、
β3Gwは、広角端における第３レンズ群の横倍率、
β3Gsは、中間ズーム状態における第３レンズ群の横倍率、
β4Gwは、広角端における第４レンズ群の横倍率、
β4Gsは、中間ズーム状態における第４レンズ群の横倍率、
である。
【００４７】
第５のズームレンズにおいて上記構成をとった理由と作用を説明する。条件式（Ｅ）は、広角側での第４レンズ群の変倍比を特定するものである。条件式（Ｅ）を満足することで、第４レンズ群の移動量を小さくしやすくなり、装置の小型化に有利となる。また、条件式（Ｅ）の下限値を下回らないようにすることで、広角側での増倍の際、第３レンズ群の物点を物体側に移動させやすくなる。
【００４８】
条件式（Ｆ）は、広角側での第３レンズ群の変倍比を特定するものである。条件式（Ｆ）の下限値を下回らないようにすることで、広角側での第３レンズ群による変倍機能を確保することで、高変倍比化に有利となる。条件式（Ｆ）の上限値を上回らないようにすることで、第３レンズ群の移動量を抑え、ズームレンズの大型化を抑えやすくなる。
【００４９】
条件式（Ｇ）は第３レンズ群の広角端での横倍率を特定するものである。条件式（Ｇ）の下限値を下回らないようにすることで、広角端における第３レンズ群の像面からの距離を小さくしやすくなり、ズームレンズ全長を短くしやすくなる。条件式（Ｇ）の上限値を上回らないようにすることで、第３レンズ群の物点を広角側で物体側に移動させやすくなり、広角側での第２レンズ群の物体側への移動量を確保しやすくなる。また、広角端でのズームレンズ全長を抑えやすくなり、第１、第２レンズ群の径の小型化にも有利になる。
【００５０】
条件式（Ｅ）の下限値を０．９とすると良い。さらには、第４レンズ群に広角側での増倍に有利とするため１．０１とするとより好ましい。条件式（Ｅ）の上限値を１．２とするとより好ましい。条件式（Ｆ）の下限値を１．４とするとより好ましい。条件式（Ｆ）の上限値を２．０とするとより好ましい。条件式（Ｇ）の下限値を−１．１とするとより好ましい。条件式（Ｇ）の上限値を−０．９とするとより好ましい。
【００５１】
また、第６のズームレンズは、第２〜第３のズームレンズにおいて、以下のように構成することが好ましい。
【００５２】
後群が、第３レンズ群の像側に配置された負の屈折力の第４レンズ群と正の屈折力の第５レンズ群を有し、第４レンズ群は広角端よりも中間ズーム状態で物体側に位置するように移動し、ズームレンズが５群ズームレンズであることが好ましい。
【００５３】
第６のズームレンズにおいて上記構成をとった理由と作用を説明する。正屈折力の後群を３つのレンズ群とし、第４レンズ群を上述の移動とすることで、ズームレンズの全長の短縮化や収差変動の補正に一層有利となる。特に、第５レンズ群が広角端に対して望遠端で像側に位置するようにすると、第５レンズ群にも変倍機能を負担させられ、変倍比の確保に一層有利となる。
【００５４】
さらには、第７のズームレンズは、第６のズームレンズにおいて、以下の条件式を満足することが好ましい。
【００５５】
０．８＜β5Gs／β5Gw＜１．３        ・・・（Ｈ）
１．３＜β34Gs／β34Gw＜３．０      ・・・（Ｉ）
−１．３＜β34Gw＜−０．９        ・・・（Ｊ）
ただし、
β34Gwは、広角端における第３レンズ群と第４レンズ群の合成系の横倍率、
β34Gsは、中間ズーム状態における第３レンズ群と第４レンズ群の合成系の横倍率、
β5Gwは、広角端における第５レンズ群の横倍率、
β5Gsは、中間ズーム状態における第５レンズ群の横倍率、
である。
【００５６】
第７のズームレンズにおいて上記構成をとった理由と作用を説明する。条件式（Ｈ）は、広角側での第５レンズ群の変倍比を特定するものである。条件式（Ｈ）を満足することで、第５レンズ群の移動量を小さくしやすくなり、装置の小型化に有利となる。また、条件式（Ｈ）の下限値を下回らないようにすることで、広角側での増倍の際、第３レンズ群の物点を物体側に移動させやすくなる。
【００５７】
条件式（Ｉ）は、広角側での第３レンズ群と第４レンズ群の合成系の変倍比を特定するものである。条件式（Ｉ）の下限値を下回らないようにすることで、広角側での第３、第４レンズ群の合成系による変倍機能を確保することで、高変倍比化に有利となる。条件式（Ｉ）の上限値を上回らないようにすることで、第３、第４レンズ群の合成系の移動量を抑え、ズームレンズの大型化を抑えやすくなる。
【００５８】
条件式（Ｊ）は第３、第４レンズ群の合成系の広角端での横倍率を特定するものである。条件式（Ｊ）の下限値を下回らないようにすることで、広角端における第３レンズ群および第４レンズ群の像面からの距離を小さくしやすくなり、ズームレンズ全長を短くしやすくなる。条件式（Ｊ）の上限値を上回らないようにすることで、第３レンズ群の物点を広角側で物体側に移動させやすくなり、広角側での第２レンズ群の物体側への移動量を確保しやすくなる。また、広角端でのズームレンズ全長を抑えやすくなり、第１、第２レンズ群の径の小型化にも有利になる。
【００５９】
条件式（Ｈ）の下限値を０．９、さらには１．０１とするとより好ましい。条件式（Ｈ）の上限値を１．２とするとより好ましい。条件式（Ｉ）の下限値を１．４とするとより好ましい。条件式（Ｉ）の上限値を２．０とするとより好ましい。条件式（Ｊ）の下限値を−１．１とするとより好ましい。条件式（Ｊ）の上限値を−０．９とするとより好ましい。
【００６０】
また、第８のズームレンズは、第１〜第７のズームレンズにおいて、以下の構成とすることが好ましい。
【００６１】
第２レンズ群の最も物体側のレンズ面が凹面であり、第１レンズ群の最も像側のレンズ面が凸面であることが好ましい。
【００６２】
第８のズームレンズにおいて上記構成をとった理由と作用を説明する。第２レンズ群の最も物体側のレンズ面を凹面とし、第１レンズ群の最も像側のレンズ面を凸面とすると、第１レンズ群と第２レンズ群との距離が近づけられ、一層広角端での全長の小型化に有利となる。
【００６３】
また、第１レンズ群の正屈折力と第２レンズ群の負屈折力の確保にも有利になり、第２レンズ群による変倍負担の確保に有利になる。この場合、第１、第２レンズ群の向かい合う両面において、広角側では軸外光束が入射する高さが大きいため両方の面の軸外光束の入射角度が大きくなりそれぞれの面での軸外収差が発生しやすくなる。しかしながら、相互の面の収差の発生が相互にキャンセルさせる方向であるので、第１、第２レンズ群の合成系としてみると光学性能の確保に有利となる。
【００６４】
また、第２レンズ群が広角側で物体側に移動することで、広角側での変倍時に第１レンズ群と第２レンズ群との間隔が離れすぎることを防止でき、軸外収差の変動の低減にも効果を奏する。一方、望遠側では、第２レンズ群の物体側面への軸外光束の入射角が小さくなるので、第１、第２レンズ群の間隔を離す移動をさせて第２レンズ群に変倍機能を持たせても収差の変動は起こりにくくなる。
【００６５】
コンパクト化を実現しながら、効率よく良好な光学性能を得られるように、本発明では上述の他にも様々な工夫を加えている。以下に詳細に説明を述べる。
【００６６】
第２レンズ群について、以下の構成とすることが好ましい。このため、第９のズームレンズは、第１〜第８のズームレンズにおいて、以下の構成とすることが好ましい。
【００６７】
第２レンズ群は、第２レンズ群中の最も物体側に配置された負レンズＬ2n1とそれより像側に配置された負レンズＬ2n2、の２枚の負レンズと、１枚の正レンズＬ2pを有し、第２レンズ群に含まれる総レンズ枚数が３枚であることが好ましい。
【００６８】
第９のズームレンズにおいて上記構成をとった理由と作用を説明する。第２レンズ群をレンズ３枚という少ない枚数にて構成することで、ズームレンズの沈胴時の厚みを抑えやすくなる。また、広角端での第１レンズ群最物体側面から入射瞳までの距離も小さくしやすくなり、ズームレンズの径方向の小型化も行いやすくなる。そして、２枚の負レンズを配置することで第２レンズ群の負屈折力を分担させ収差の発生を少なく抑え、さらに正レンズを１枚配置することで効率よく収差補正を行える構成としている。
【００６９】
さらには、小型化と収差バランスをより良好にするべく、以下の構成とすることが好ましい。このため、第１０のズームレンズは、第９のズームレンズにおいて、以下の条件式を満足することが好ましい。
【００７０】
−０．５＜ＳＦ2n1＜１．０    ・・・（３）
ただし、ＳＦ2n1＝（Ｒ2n1f＋Ｒ2n1r）／（Ｒ2n1f−Ｒn1r）で定義され、
Ｒ2n1fは負レンズＬ2n1の物体側面の近軸曲率半径、
Ｒ2n1rは負レンズＬ2n1の像側面の近軸曲率半径、
である。
【００７１】
第１０のズームレンズにおいて上記構成をとった理由と作用を説明する。条件式（３）は、第２レンズ群のもっとも物体側の負レンズの屈折力を確保しつつ、小型化、性能確保をバランスさせるための条件である。
【００７２】
条件式（３）の上限を上回らないようにすることで、像側面の曲率を小さくしても負レンズの負屈折力を確保しやすくなる。それにより、第２レンズ群前後の間隔の変化量を小さくしやすくなり、鏡枠の小型化にも有利となる。また、第１レンズ群での光線高を低くして、径方向のコンパクト化に有利となる。また、第２レンズ群の軸上の厚みを小さくしやすくなる。条件式（３）の下限を下回らないようにして、物体側面が強い負屈折力の面となることを抑え、広角端での像面湾曲や、歪曲収差を抑えることが好ましい。
【００７３】
また、以下を満足するとなお良い。
０＜ＳＦ2n1＜０．９    ・・・（３’）
さらに、以下を満足すると更に良い。
０．２５＜ＳＦ2n1＜０．８    ・・・（３”）
条件式（３）の上限値、下限値を、条件式（３’）、（３”）の上限値または下限値として良い。なお、  以降に示す条件式の上限値、下限値についても同様に変更可能である。
【００７４】
また、第２レンズ群の負レンズＬ2n1について最適な材料を設定しておくのが良い。具体的には、第１１のズームレンズは、第９〜第１０のズームレンズにおいて、以下の条件式を満足することが好ましい。
【００７５】
１．７８＜ｎd2n1＜２．２０    ・・・（４）
３５＜νd2n1＜５０    ・・・（５）
ただし、ｎd2n1は負レンズＬ2n1のｄ線に対する屈折率、
νd2n1は負レンズＬ2n1のアッベ数、
である。
【００７６】
第１１のズームレンズにおいて上記構成をとった理由と作用を説明する。条件式（４）の上限を上回らないようにして、材料の量産性や入手性を良くし、コスト低減を行うことが好ましい。条件式（４）の下限を下回らないようにして、屈折力を確保しつつレンズ面の曲率絶対値を小さくして、広角端でのコマ収差や像面湾曲を抑えやすくすることが好ましい。
【００７７】
条件式（５）の上限を上回らないようにして、屈折力の高い材料の入手性を確保することが好ましい。条件式（５）の下限を下回らないようにして、色分散を適度に押さえ、色収差を抑えやすくすることが好ましい。
【００７８】
また、以下を満足するとなお良い。
１．７９＜ｎd2n1＜１．９５    ・・・（４’）
３７＜νd2n1＜４７            ・・・（５’)
以下を満足すると更に良い。
１．８０＜ｎd2n1＜１．９０    ・・・（４”)
４０＜νd2n1＜４３            ・・・（５”)
これらにより、さらに上述の効果を奏することができる。
【００７９】
また、第２レンズ群の負レンズＬ2n2について最適な材料を設定しておくのが良い。具体的には、第１２のズームレンズは、第９〜第１１のズームレンズにおいて、以下の構成とすると良い。
【００８０】
１．７８＜ｎd2n2＜２．００    ・・・（６）
３５＜νd2n2＜５０    ・・・（７）
ただし、
ｎd2n2は負レンズＬ2n2のｄ線に対する屈折率、
νd2n2は負レンズＬ2n2のアッベ数、
である。
【００８１】
条件式（６）の上限を上回らないようにして、材料の量産性や入手性を良くし、コスト低減を行うことが好ましい。条件式（６）の下限を下回らないようにすることで、屈折力を確保してもレンズ面の曲率絶対値を小さくでき、球面収差やコマ収差の発生を抑えやすくなる。
【００８２】
条件式（７）の上限を上回らないようにして、屈折力の高い材料の入手性を高くすることが好ましい。条件式（７）の下限を下回らないようにすることで、色分散を抑え、色収差の補正に有利となる。
【００８３】
以下を満足するとなお良い。
１．７９＜ｎd2n2＜１．９５  ・・・（６’）
３８＜νd2n2＜４８          ・・・（７’）
以下を満足すると更に良い。
１．８０＜ｎd2n2＜１．９０  ・・・（６”）
４０＜νd2n2＜４７          ・・・（７”）
これらにより、さらに上述の効果を奏することができる。
【００８４】
また、第２レンズ群の正レンズＬ2pについて、以下の構成とすることが好ましい。このため、第１３のズームレンズは、第９〜第１２のズームレンズにおいて、以下の条件式を満足することが好ましい。
【００８５】
１．８４＜ｎd2p＜２．２０    ・・・（８）
１３＜νd2p＜３０            ・・・（９）
ただし、
ｎd2pは正レンズＬ2pのｄ線に対する屈折率、
νd2pは正レンズＬ2pのアッベ数、
である。
【００８６】
条件式（８）の上限を上回らないようにすることで、材料の量産性や入手性を良くし、コスト低減を行うことが好ましい。下限を下回らないようにすることで、屈折力を確保してもレンズ面の曲率絶対値を小さくでき、球面収差やコマ収差の発生を抑えやすくなる。
【００８７】
条件式（９）は、色収差補正、特に軸外の倍率色収差補正に関する条件式である。大きな負屈折力により発生する色収差をこの群内で良好に補正するためには、正レンズに適正な範囲で比較的色分散の大きな材料を用いることが好ましい。条件式（９）の上限を上回らないようにして、分散を確保し、負レンズで発生する色収差の補正を行うことが好ましい。条件式（９）の下限を下回らないようにして、短波長側での色分散を抑え、この正レンズで発生する短波長側の色収差を抑えて２次スペクトルの発生を抑えることが好ましい。
【００８８】
以下を満足するとなお良い。
１．８７＜ｎd2p＜２．１５    ・・・（８’）
１５＜νd2p＜２６            ・・・（９’）
以下を満足すると更に良い。
１．９０＜ｎd2p＜２．１２    ・・・（８”）
１７＜νd2p＜２１            ・・・（９”）
これらにより、さらに上述の効果を奏することができる。
【００８９】
また、収差の発生を抑えて良好な光学性能を得るために、第１４のズームレンズは、第９〜第１３のズームレンズにおいて、以下の構成とすると良い。
【００９０】
第２レンズ群中の負レンズＬ2n1は片面または両面が非球面であり、以下の条件式を満足することが好ましい。
０．００５＜（｜ａｓｐ2n1f｜＋｜ａｓｐ2n1r|）／ｆｗ＜０．１  ・・・（１０）
ただし、
ａｓｐ2n1fは、第２レンズ群中の最も物体側の負レンズの物体側のレンズ面における非球面偏倚量、
asf2n1rは、第２レンズ群中の最も物体側の負レンズの像側のレンズ面における非球面偏倚量、
ｆwは、広角端でのズームレンズ全系の焦点距離、
である。
【００９１】
第１４のズームレンズにおいて上記構成をとった理由と作用を説明する。収差の発生を抑えて良好な光学性能を得るためには、第２レンズ群の最も物体側の負レンズＬ2n1の少なくとも１つのレンズ面に非球面を配置すると良い。また、両面非球面としても良い。コマ収差や像面湾曲の補正に効果がある。
【００９２】
このとき、上述の条件式（１０）を満足するようにすると良い。ここで、非球面偏倚量は、図２４に示すように、レンズ面の面頂と同じ面頂を持ちそのレンズ面の近軸曲率半径を曲率半径とする球面を基準球面としたとき、そのレンズ面における広角端での最大光線入射高の位置にて、光軸に平行な方向に測ったときのその基準球面からそのレンズ面までの距離であり、像側方向を正符号とする。レンズ面が球面または平面の場合の非球面偏倚量は０となる。
【００９３】
条件式（１０）の下限を下回らないようにすることで、非球面による収差補正効果を確保しやすくなり、広角側での軸外収差の補正に有利となる。条件式（１０）の上限を上回らないようにすることで、非球面の形状変化の程度を抑えられ、偏心による収差への影響を抑えやすくなる。
【００９４】
以下を満足するとなお良い。
０．００８＜（｜ａｓｐ2n1f｜＋｜ａｓｐ2n1r|）／ｆｗ＜０．０８  ・・・(１０’)
以下を満足すると更に良い。
０．０１＜（｜ａｓｐ2n1f｜＋｜ａｓｐ2n1r|）／ｆｗ＜０．０５  ・・・(１０”)
これらにより、さらに上述の効果を奏することができる。
【００９５】
また、第１５のズームレンズは、第９〜第１４のズームレンズにおいて、以下の構成とすると良い。
【００９６】
第２レンズ群は、物体側から順に、負レンズＬ2n1、負レンズＬ2n2、正レンズＬ2pからなることが好ましい。これにより、第２レンズ群の主点を物体よりにしやすくなり、径の小型化に有利になる。
【００９７】
また、第１６のズームレンズは、第９〜第１４のズームレンズにおいて、以下の構成とすると良い。
【００９８】
第２レンズ群は、物体側から順に、負レンズＬ2n1、正レンズＬ2p、負レンズＬ2n2からなることが好ましい。これにより、変倍時の球面収差等の変動を抑えやすくなる。
【００９９】
また、第２レンズ群と同様にコンパクト化の観点から、第１レンズ群も少ないレンズ枚数で構成したほうが有利である。第１レンズ群について、以下の構成とすることが好ましい。このため、第１７のズームレンズは、第１〜第１６のズームレンズにおいて、以下の構成とすることが好ましい。
【０１００】
第１レンズ群は、正レンズＬ1p、負レンズＬ1nを有し、第１レンズ群中のレンズ枚数は２枚であることが好ましい。高変倍比化を行うと、特に望遠端での色収差が問題となりやすい。そこで、第１レンズ群は、正レンズと負レンズを備えることが色収差上好ましい。
【０１０１】
さらに、第１８のズームレンズは、第１７のズームレンズにおいて、以下の構成とすると良い。
【０１０２】
第１レンズ群中の負レンズＬ1nと正レンズＬ1pはそれぞれ単レンズであることが好ましい。このようにすると、２つのレンズの間に形成される空気レンズを利用して、特に望遠端のコマ収差を良好に補正できるようになる。
【０１０３】
このとき、第１９のズームレンズは、第１８のズームレンズにおいて、以下の構成とすると良い。
【０１０４】
第１レンズ群の負レンズＬ1nと正レンズＬ1pの光軸上での間隔が、以下の条件式を満足することが好ましい。
０.０≦ｄ1np／ｄ1＜０．２      ・・・（１２）
ただし、
ｄ1npは、第１レンズ群の負レンズＬ1nと正レンズＬ1pとの光軸上での間隔、
ｄ1は、第１レンズ群の光軸上の総厚み、
である。
【０１０５】
第１９のズームレンズにおいて上記構成をとった理由と作用を説明する。条件式（１２）の上限を上回らないようにして、最も物体側のレンズを通る軸外光線高を抑え、径方向のコンパクト化を行うことが好ましい。また、条件式（１２）の下限を超えることはない。
【０１０６】
以下を満足するとなお良い。
０.０≦ｄ1np／ｄ1＜０．１      ・・・(１２’)
以下を満足すると更に良い。
０.０≦ｄ1np／ｄ1＜０．０３      ・・・(１２”)
これらにより、さらに上述の効果を奏することができる。
【０１０７】
または、第２０のズームレンズは、第１７のズームレンズにおいて、以下の構成としても良い。
【０１０８】
第１レンズ群の負レンズＬ1nと正レンズＬ1pは接合されていることが好ましい。これにより、広角端の倍率色収差や望遠端の軸上色収差を良好に補正できる。また、相対偏心による性能劣化に起因する歩留まり悪化を緩和でき、コストダウンにつながる。
【０１０９】
このとき、第１レンズ群の正レンズＬ1p、負レンズＬ1nについて最適な材料を設定しておくのが良い。具体的には、第２１のズームレンズは、第１７〜第２０のズームレンズにおいて、以下の条件式を満足とすると良い。
【０１１０】
１．４７＜ｎd1p＜１．９０    ・・・（１３）
４０＜νd1p＜８５            ・・・（１４）
１．７５＜ｎd1n＜２．０５    ・・・（１５）
１２＜νd1n＜３１            ・・・（１６）
ただし、
ｎd1pは正レンズＬ1pのｄ線に対する屈折率、
νd1pは正レンズＬ1pのアッベ数、
ｎd1nは正レンズＬ1nのｄ線に対する屈折率、
νd1nは正レンズＬ1nのアッベ数、
である。
【０１１１】
件式（１３）の上限を上回らないようにして、材料の量産性や入手性を良くし、コスト低減を行うことが好ましい。条件式（１３）の下限を下回らないようにすることで、屈折力を確保してもレンズ面の曲率絶対値を小さくでき、球面収差やコマ収差の発生を抑えやすくなる。
【０１１２】
条件式（１４）の上限を上回らないようにして、屈折力の高い材料の入手性を高くすることが好ましい。条件式（１４）の下限を下回らないようにすることで、色分散を抑え、色収差の補正に有利となる。
【０１１３】
条件式（１５）の上限を上回らないようにすることで、材料の量産性や入手性を良くし、コスト低減を行うことが好ましい。条件式（１５）の下限を下回らないようにすることで、屈折力を確保してもレンズ面の曲率絶対値を小さくでき、球面収差やコマ収差の発生を抑えやすくなる。
【０１１４】
条件式（１６）は、色収差補正、特に軸上色収差補正に関する条件式である。大きな正屈折力により発生する色収差をこの群内で良好に補正するためには、負レンズに適正な範囲で比較的色分散の大きな材料を用いることが好ましい。条件式（１６）の上限を上回らないようにして、分散を確保し、正レンズで発生する色収差の補正を行うことが好ましい。条件式（１６）の下限を下回らないようにして、短波長側での色分散を抑え、この正レンズで発生する短波長側の色収差を抑えて２次スペクトルの発生を抑えることが好ましい。
【０１１５】
以下を満足するとなお良い。
１．５５＜ｎd1p＜１．８０    ・・・(１３’)
４５＜νd1p＜７５            ・・・(１４’)
１．７９＜ｎd1n＜２．０１    ・・・(１５’)
１５＜νd1n＜２６            ・・・(１６’)
以下を満足すると更に良い。
１．５８＜ｎd1p＜１．７５    ・・・(１３”)
４８＜νd1p＜６８            ・・・(１４”)
１．８３＜ｎd1n＜１．９５    ・・・(１５”)
１７．５＜νd1n＜２４        ・・・(１６”)
これらにより、さらに上述の効果を奏することができる。
【０１１６】
また、第２２のズームレンズは、第１７〜第２１のズームレンズにおいて、以下の構成とすると良い。
【０１１７】
第１レンズ群は、物体側から順に、負レンズＬ1n、正レンズＬ1pからなることが好ましい。このようにすると、第１レンズ群の後ろ側主点位置が像側に寄るため、変倍比の確保に効果がある。
【０１１８】
以下に第３レンズ群の好ましい構成を説明する。第２３のズームレンズは、第１〜第２２のズームレンズにおいて、以下の構成とすることが好ましい。
【０１１９】
第３レンズ群が３枚以下のレンズからなることが好ましい。これにより、鏡筒の薄型化に有利となる。
【０１２０】
また、第２４のズームレンズは、第２３のズームレンズにおいて、以下の構成とすることが好ましい。
【０１２１】
第３レンズ群は物体側から順に、正レンズ、正レンズ、負レンズの３枚のレンズからなることが好ましい。
【０１２２】
第２４のズームレンズにおいて上記構成をとった理由と作用を説明する。正レンズを２枚用いることで第３レンズ群の正の屈折力を分担し、負レンズを加えることで諸収差の補正に有利となる。第２レンズ群から発散する軸上光束を２枚の正レンズで収束させることで第３レンズ群の小型化に有利となる。また、像側の負レンズで、軸外光束を光軸から離れる方向に屈折させることで撮像面上の入射高を確保できる。また、第３レンズ群の主点が物体よりになるので、望遠端にて第３レンズ群の主点を第２レンズ群の主点に近づけやすくなり、高変倍比化に有利となる。
【０１２３】
さらには、物体側から２番目の正レンズと負レンズを接合することが好ましい。正レンズと負レンズを接合することで、軸上色収差の補正をより効果的に行うことができる。また、組み立て工程でのレンズ同士の相対偏心による光学性能の劣化を防ぐことができるため、歩留まりの向上やコストダウンにつながる。
【０１２４】
さらには、第３レンズ群内に１面以上の非球面を配置することが好ましい。球面収差やコマ収差の補正に効果がある。さらには、第３レンズ群中の最も物体側の正レンズを両面非球面レンズとすることが好ましい。複数のレンズに非球面を配置するとレンズの相対偏心による光学性能劣化が大きくなりがちだが、このように１枚のレンズの両側面を非球面とすることでレンズ相対偏心による光学性能劣化を小さく抑えながら、球面収差とコマ収差をより良好に補正することが可能となっている。
【０１２５】
以下に、各レンズ群の好ましい屈折力について説明する。第２レンズ群について、第２５のズームレンズは、第１〜第２４のズームレンズにおいて、以下の条件式を満足することが好ましい。
【０１２６】
０．０８＜｜ｆ2／ｆt｜＜０．２４    ・・・（１７）
ただし、
ｆ2は、第２レンズ群の焦点距離、
ｆtは、望遠端でのズームレンズ全系の焦点距離、
である。
【０１２７】
第２５のズームレンズにおいて上記構成をとった理由と作用を説明する。条件式(１７)の上限を上回らないようにして、屈折力を確保し変倍のための移動量を抑えることで、鏡筒のコンパクト化に有利となる。下限を下回らないようにして、屈折力を抑えることで収差補正が容易となる。
【０１２８】
以下を満足するとなお良い。
０．１０＜｜ｆ2／ｆt｜＜０．２２  ・・・(１７’)
以下を満足すると更に良い。
０．１２＜｜ｆ2／ｆt｜＜０．１８  ・・・(１７”)
これらにより、さらに上述の効果を奏することができる。
【０１２９】
また、コンパクト化と光学性能のバランスの観点から、第２６のズームレンズは、第１〜第２５のズームレンズにおいて、第１レンズ群について以下の条件式を満足すると良い。
【０１３０】
０．３＜ｆ1／ｆt＜０．９５    ・・・（１８）
ただし、
ｆ1は第１レンズ群の焦点距離、
ｆtは望遠端でのズームレンズ全系の焦点距離、
である。
【０１３１】
第２６のズームレンズにおいて上記構成をとった理由と作用を説明する。条件式(１８）の上限を上回らないようにして第１レンズ群の屈折力を確保することで、ズームレンズ全系の全長を小さくしやすくなり小型化しやすくなる。条件式(１８）の下限を下回らないようにして、屈折力を適度に抑え、望遠端での球面収差やコマ収差を抑えやすくなる。
【０１３２】
以下を満足するとなお良い。
０．４＜ｆ1／ｆt＜０．８      ・・・（１８’）
以下を満足すると更に良い。
０．５＜ｆ1／ｆt＜０．６８    ・・・（１８”）
これらにより、さらに上述の効果を奏することができる。
【０１３３】
また、第２７のズームレンズは、第１〜第２６のズームレンズにおいて、第３レンズ群の屈折力については、以下の条件式を満足することが好ましい。
【０１３４】
０．１＜ｆ3／ｆt＜０．５    ・・・（１９）
ただし、
ｆ3は第３レンズ群の焦点距離、
ｆtは望遠端でのズームレンズ全系の焦点距離
である。
【０１３５】
第２７のズームレンズにおいて上記構成をとった理由と作用を説明する。条件式（１９）の上限を上回らないようにして屈折力を確保することで、全長の短縮化や変倍比の確保に有利となる。条件式（１９）の下限を下回らないようにして屈折力を抑えることで、収差補正に有利となる。
【０１３６】
以下を満足するとなお良い。
０．１２＜ｆ3／ｆt＜０．４０  ・・・（１９’）
以下を満足すると更に良い。
０．１５＜ｆ3／ｆt＜０．３０  ・・・（１９”）
これらにより、さらに上述の効果を奏することができる。
【０１３７】
また、第２８のズームレンズは、第１〜第２７のズームレンズにおいて、ズームレンズ中の最も像側に配置されるレンズ群については以下の構成とすることが好ましい。
【０１３８】
後群は最も像側に、第３レンズ群とは異なる正の屈折力のレンズ群を有し、
以下の条件式を満足することが好ましい。
０．２＜ｆRE／ｆt＜０．６    ・・・（２０）
ただし、
ｆREは、後群中の最も像側に位置するレンズ群の焦点距離、
ｆtは、望遠端でのズームレンズ全系の焦点距離
である。
【０１３９】
第２８のズームレンズにおいて上記構成をとった理由と作用を説明する。条件式（２０）の上限を上回らないようにして最も像側のレンズ群の正屈折力を確保することで、軸外光線を屈折させる作用を確保することが好ましい。像面に配置するＣＣＤやＣＭＯＳ等の電子撮像素子に入射する光線角度を小さくでき、撮影画面周辺部での明るさのかげり（シェーディング）の発生を抑えやすくなる。条件式（２０）の下限を下回らないようにすることで、像面湾曲が補正不足になるのを抑えるやすくなる。また、フォーカシング動作は最も像側のレンズ群を移動させて行うのが望ましいが、フォーカシングの際の像面湾曲の変動を抑えやすくもなる。
【０１４０】
以下を満足するとなお良い。
０．２８＜ｆRE／ｆt＜０．５３    ・・・（２０’）
以下を満足すると更に良い。
０．３５＜ｆRE／ｆt＜０．４６    ・・・（２０”）
これらにより、さらに上述の効果を奏することができる。
【０１４１】
さらには、最も像側のレンズ群はプラスチック材料で形成しても良い。最も像側のレンズ群の主な役割としては、射出瞳位置を適切な位置に配置してＣＣＤやＣＭＯＳ等の電子撮像素子に効率よく光線を入射させることである。そのような役割のためには、上述した条件式（２０）のような範囲内に屈折力が設定されていれば、比較的大きな屈折力は必要とせず、プラスチックレンズのような屈折率の低い硝材を用いて構成することも可能である。最も像側のレンズ群にプラスチックレンズを用いれば、コストを安く抑え、より安価なズームレンズを提供することが可能となる。
【０１４２】
また、本発明の第１の電子撮像装置は、本発明のズームレンズを用いて、以下の構成とすることが好ましい。
【０１４３】
上述のズームレンズと、ズームレンズにより形成された像を電気信号に変換する撮像素子を有することが好ましい。これにより、シェーディングを抑え、小型、高変倍比のズームレンズを持つ電子撮像装置を構成できる。
【０１４４】
さらには、第２の電子撮像装置は、第１の電子撮像装置において、以下の条件式を満足することが好ましい。
【０１４５】
０．４＜Ｉm／ｆw＜０．８      ・・・（２２）
ただし、
Ｉmは有効撮像領域における最大像高、
ｆwは広角端でのズームレンズ全系の焦点距離
である。
【０１４６】
有効撮像領域とは、撮像素子上の撮像面のうち、画像の表示、記録を行う領域であり、領域が変化する場合は、像高が最も大きい状態での像高を最大像高Ｉmと定義する。条件式（２２）の上限を上回らないようにすることで、撮影画角が大きくなり過ぎないようにし、たる型の歪曲収差の発生を小さくすることに有利となる。条件式（２２）の下限を下回らないようにして、本構成を採用する小型、広角化のメリットを活かすことが好ましい。
【０１４７】
以下を満足するとなお良い。
０．４５＜Ｉm／ｆw＜０．７    ・・・（２２’）
以下を満足すると更に良い。
０．５５＜Ｉm／ｆw＜０．６    ・・・（２２”）
これらにより、さらに上述の効果を奏することができる。
【０１４８】
また、明るさ絞りは広角端から望遠端への変倍時に第３レンズ群と一体で移動させても良い。軸外光線の高さが低くなる場所であるので第３レンズ群の小型化に一層有利となる。さらには、明るさ絞りとシャッター機構を一体構成としても良い。シャッターユニットが大型化せずにすみ、明るさ絞りおよびシャッターユニットを移動させるときのデッドスペースが小さくてすむ。
【０１４９】
また、ゴースト、フレア等の不要光をカットするために、明るさ絞り以外の場所にフレア絞りを配置してもかまわない。第１レンズ群の物体側、第１、２レンズ群間、第２、３レンズ群間、後群中のレンズ群間、後群から像面の間のいずれの場所に配置しても良い。レンズ群を保持する枠部材によりフレア光線をカットするように構成しても良いし、枠部材とは別の部材でフレア絞りを構成しても良い。また、レンズに直接印刷しても塗装してもシールなどを接着してもかまわない。また、その形状は円形、楕円形、矩形、多角形、関数曲線で囲まれる範囲等、いかなる形状でもかまわない。また、有害光束をカットするだけでなく画面周辺のコマフレア等の光束をカットしても良い。
【０１５０】
また、各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【０１５１】
また、ピント調節を行うためのフォーカシングはズームレンズ中の最も像側のレンズ群で行うことが望ましい。最も像側のレンズ群は軽量にしやすく、フォーカシング時にモータにかかる負荷を小さくできる。さらに、フォーカシング時に全長が変化しないし、鏡枠内部に駆動モータを配置できるため、鏡枠のコンパクト化に有利である。上述のように最も像側のレンズ群でフォーカシングを行うことが望ましいが、第１、２、３レンズ群でフォーカシングを行っても良い。また複数のレンズ群を移動してフォーカシングを行っても良い。またレンズ系全体を繰り出してフォーカスを行っても良いし、一部のレンズを繰り出し、もしくは繰り込みしてフォーカスしても良い。
【０１５２】
また、画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また画像処理により画像周辺部の低下量を補正しても良い。また、意図的にズームレンズで歪曲収差を出しておき、撮影後に電気的に画像処理を行って歪みを補正してもかまわない。
【０１５３】
上述の各発明は、任意に複数を同時に満足することがより好ましい。また、各条件式について、より限定した条件式の数値範囲の上限値あるいは下限値のみを限定しても構わない。また、上述の各構成は、任意に組み合わせて構わない。
【発明の効果】
【０１５４】
以上述べたように、本発明によれば、高変倍比で、広角端近辺のズーム領域での周辺光量を確保しやすく、望遠端でも明るいコンパクトなズームレンズ及びこのズームレンズを用いた電子撮像装置を提供できる。
【発明を実施するための最良の形態】
【０１５５】
以下に、本発明に係るズームレンズ、撮像装置の実施例を図面に基づいて詳細に説明する。なお、この実施例によりこの発明が限定されるものではない。以下に示す各実施例では、カメラの薄型化を行い易いように配慮された、７倍程度の高変倍比をもち、広角端近辺のズーム領域での周辺光量を確保しやすく、望遠端でのＦNOを明るくでき、さらにコンパクトなズームレンズを実現している。また、撮影画像の画質は良好に維持されており、またＣＣＤやＣＭＯＳ等の電子撮像素子に適している安価なズームレンズとなっている。
【０１５６】
以下、本発明のズームレンズの実施例１〜８について説明する。実施例１〜８の無限遠物点合焦時の広角端（ａ）、本発明で定義する中間ズーム状態（ｂ）、望遠端（ｃ）のレンズ断面図をそれぞれ図１〜図８に示す。図１〜図８中、第１レンズ群はＧ１、第２レンズ群はＧ２、開口絞りはＳ、第３レンズ群はＧ３、第４レンズ群はＧ４、第５レンズ群はＧ５、赤外光を制限する波長域制限コートを施したローパスフィルタを構成する平行平板はＦ、電子撮像素子（ＣＣＤ）のカバーガラスの平行平板はＣ、像面（最終平面）はＩで示してある。なお、カバーガラスＣの表面に波長域制限用の多層膜を施してもよい。また、そのカバーガラスＣにローパスフィルタ作用を持たせるようにしてもよい。
【０１５７】
また、各実施例において、明るさ絞りＳは第３レンズ群Ｇ３と一体で移動する。数値データはいずれも無限遠の被写体に合焦した状態でのデータである。各数値の長さの単位はｍｍ、角度の単位は°（度）である。フォーカシングはいずれの実施例も最も像側のレンズ群の移動により行う。各実施例の像高Ｉmはいずれも３．８４ｍｍである。さらに、ズームデータは広角端（ＷＥ）、本発明で定義する中間ズーム状態（ＳＴ）、望遠端（ＴＥ）での値である。
【０１５８】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１５９】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に一旦物体側に移動したあと移動方向が反転して像側に移動し、第４レンズ群Ｇ４は像側に移動する。
【０１６０】
物体側から順に、第１レンズ群Ｇ１は、物体側に凸面を向けた第１負メニスカスレンズと第２両凸正レンズから構成される。第１負メニスカスレンズと、第２両凸正レンズとは接合されている。第２レンズ群Ｇ２は、第３両凹負レンズと、第４両凹負レンズと、物体側に凸面を向けた第５正メニスカスレンズから構成される。第３レンズ群Ｇ３は、第６両凸正レンズと、第７両凸正レンズと、第８両凹負レンズから構成される。第７両凸正レンズと、第８両凹負レンズは接合されている。第４レンズ群Ｇ４は、第９両凸正レンズで構成されている。なお、第１０面のレンズ面頂は、明るさ絞りＳよりも物体側に位置している。
【０１６１】
非球面は、第２両凸正レンズの像側の面と、第３両凹負レンズの両面と、第６両凸正レンズの両面と、第９両凸正レンズの物体側の面との６面に用いている。
【０１６２】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１６３】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１６４】
物体側から順に、第１レンズ群Ｇ１は、物体側に凸面を向けた第１負メニスカスレンズと第２両凸正レンズから構成される。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１６５】
非球面は、第２両凸正レンズの像側の面と、第３両凹負レンズの両面と、第６両凸正レンズの両面と、第９両凸正レンズの両面との７面に用いている。
【０１６６】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１６７】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１６８】
物体側から順に、第１レンズ群Ｇ１は、物体側に凸面を向けた第１負メニスカスレンズと第２両凸正レンズから構成される。第１負メニスカスレンズと第２両凸正レンズは接合されている。第２レンズ群Ｇ２は、第３両凹負レンズと、物体側に凸面を向けた第４正メニスカスレンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１６９】
非球面は、第２両凸正レンズの像側の面と、第３両凹負レンズの両面と、第６両凸正レンズの両面と、第９両凸正レンズの両面との７面に用いている。
【０１７０】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１７１】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１７２】
物体側から順に、第１レンズ群Ｇ１は、物体側に凸面を向けた第１負メニスカスレンズと、第２両凸正レンズから構成される。第１負メニスカスレンズと第２両凸正レンズは接合されている。第２レンズ群Ｇ２は、第３両凹負レンズと、物体側に凸面を向けた第４正メニスカスレンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１７３】
非球面は、第２両凸正レンズの像側の面と、第３両凹負レンズの両面と、第６両凸正レンズの両面と、第９両凸正レンズの両面との７面に用いている。
ズの両面との７面に用いている。
【０１７４】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１７５】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１７６】
物体側から順に、第１レンズ群Ｇ１は、物体側に凸面を向けた第１負メニスカスレンズと、第２両凸正レンズから構成される。第１負メニスカスレンズと第２両凸正レンズは接合されている。第２レンズ群Ｇ２は、第３両凹負レンズと、第４両凹負レンズと、第５両凸正レンズから構成される。第４両凹負レンズと、第５両凸正レンズは接合されている。第３レンズ群Ｇ３は、第６両凸正レンズと、第７両凸正レンズと、第８両凹負レンズから構成される。第７両凸正レンズと、第８両凹負レンズは接合されている。第４レンズ群Ｇ４は、第９両凸正レンズで構成されている。
【０１７７】
非球面は、第２両凸正レンズの像側の面と、第３両凹負レンズの両面と、第６両凸正レンズの両面と、第９両凸正レンズの像側の面との６面に用いている。
【０１７８】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１７９】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に一旦物体側に移動したあと移動方向が反転して像側に移動し、第４レンズ群Ｇ４は一旦物体側に移動したあと移動方向が反転して像側に移動する。
【０１８０】
物体側から順に、第１レンズ群Ｇ１は、物体側に凸面を向けた第１負メニスカスレンズと、第２両凸正レンズから構成される。第１負メニスカスレンズと第２両凸正レンズは接合されている。第２レンズ群Ｇ２は、第３両凹負レンズと、第４両凹負レンズと、物体側に凸面を向けた正メニスカスレンズから構成される。第３レンズ群Ｇ３は、第６両凸正レンズと、第７両凸正レンズと、第８両凹負レンズから構成される。第７両凸正レンズと、第８両凹負レンズは接合されている。第４レンズ群Ｇ４は、第９両凸正レンズで構成されている。なお、第１０面のレンズ面頂は、明るさ絞りＳよりも物体側に位置している。
【０１８１】
非球面は、第２両凸正レンズの像側の面と、第３両凹負レンズの両面と、第６両凸正レンズの両面と、第９両凸正レンズの像側の面との６面に用いている。
【０１８２】
実施例７のズームレンズは、図７に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１８３】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１８４】
物体側から順に、第１レンズ群Ｇ１は、物体側に凸面を向けた第１負メニスカスレンズと、第２両凸正レンズから構成される。第１負メニスカスレンズと第２両凸正レンズは接合されている。第２レンズ群Ｇ２は、第３両凹負レンズと、物体側に凸面を向けた第４正メニスカスレンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１８５】
非球面は、第２両凸正レンズの像側の面と、第３両凹負レンズの両面と、第６両凸正レンズの両面と、第９両凸正レンズの両面との７面に用いている。
【０１８６】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５を配置している。
【０１８７】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は物体側に移動し、第５レンズ群は像側に移動する。
【０１８８】
物体側から順に、第１レンズ群Ｇ１は、物体側に凸面を向けた第１負メニスカスレンズと、第２両凸正レンズから構成される。第１負メニスカスレンズと第２両凸正レンズは接合されている。第２レンズ群Ｇ２は、第３両凹負レンズと、第４両凸正レンズと、第５両凹負レンズから構成される。第３レンズ群Ｇ３は、第６両凸正レンズから構成される。第４レンズ群Ｇ４は、物体側に凸面を向けた第７正メニスカスレンズと、物体側に凸面を向けた第８負メニスカスレンズから構成される。第７正メニスカスレンズと、第８負メニスカスレンズは接合されている。第５レンズ群Ｇ５は、第９両凸正レンズで構成されている。
【０１８９】
非球面は、第２両凸正レンズの像側の面と、第３両凹負レンズの両面と、第６両凸正レンズの両面と、第９両凸正レンズの両面との７面に用いている。
【０１９０】
以下に、上記各実施例の数値データを示す。記号は上記の外、ｆは全系焦点距離、ＢＦはバックフォーカス、f1、f2…は各レンズ群の焦点距離、Ｉmは像高、ＦNOはＦナンバー、ωは半画角、ＷＥは広角端、ＳＴは本発明で定義する中間ズーム状態、ＴＥは望遠端、ｒ1、ｒ2…は各レンズ面の曲率半径、ｄ1、ｄ2…は各レンズ面間の間隔、ｎd1、ｎd2…は各レンズのｄ線の屈折率、νd1、νd2…は各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【０１９１】
なお、非球面形状は、ｘを光の進行方向を正とした光軸とし、ｙを光軸と直交する方向にとると、下記の式にて表される。
【０１９２】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１９３】
実施例１
ｒ1 =   15.444            ｄ1 =  0.80     ｎd1 =  1.84666     νd1 =  23.78
ｒ2 =   11.717            ｄ2 =  3.80     ｎd2 =  1.59201     νd2 =  67.07
ｒ3 =  -98.951（非球面）  ｄ3 =（可変）  
ｒ4 =-2854.305（非球面）  ｄ4 =  0.90     ｎd3 =  1.83481     νd3 =  42.71
ｒ5 =    6.067（非球面）  ｄ5 =  2.20
ｒ6 =  -35.773            ｄ6 =  0.70     ｎd4 =  1.88300     νd4 =  40.76
ｒ7 =   11.573            ｄ7 =  0.10
ｒ8 =    8.635            ｄ8 =  1.87     ｎd5 =  1.94595     νd5 =  17.98
ｒ9 =   30.479            ｄ9 =（可変）
ｒ10=     ∞（絞り）      ｄ10= -0.10
ｒ11=    5.696（非球面）  ｄ11=  1.70     ｎd6 =  1.58313     νd6 =  59.38
ｒ12=  -20.003（非球面）  ｄ12=  0.10
ｒ13=    7.317            ｄ13=  1.80     ｎd7 =  1.76200     νd7 =  40.10
ｒ14=  -17.180            ｄ14=  0.40     ｎd8 =  1.74077     νd8 =  27.79
ｒ15=    3.667            ｄ15=（可変） 
ｒ16=   31.620（非球面）  ｄ16=  1.85     ｎd9 =  1.74320     νd9 =  49.34
ｒ17=  -24.423            ｄ17=（可変） 
ｒ18=     ∞              ｄ18=  0.50     ｎd10=  1.51633     νd10=  64.14
ｒ19=     ∞              ｄ19=  0.50
ｒ20=     ∞              ｄ20=  0.50     ｎd11=  1.51633     νd11=  64.14
ｒ21=     ∞              ｄ21=  0.37
ｒ22=     ∞（電子撮像素子の受光面、像面） 
非球面係数
第３面
Ｋ =    0.000
Ａ4 =    2.35252e-05 
Ａ6 =    4.58211e-08 
Ａ8 =   -1.99975e-09 
Ａ10=    1.43444e-11  
第４面
Ｋ =    0.000
Ａ4 =   -1.21713e-05 
Ａ6 =   -8.45979e-06 
Ａ8 =    5.55140e-07 
Ａ10=   -8.58521e-09  
第５面
Ｋ =   -0.018
Ａ4 =    7.52509e-05  
Ａ6 =    8.45492e-07 
Ａ8 =   -6.77958e-07 
Ａ10=    1.07984e-07  
第１１面
Ｋ =    1.133
Ａ4 =   -1.14893e-03 
Ａ6 =   -3.52642e-05 
Ａ8 =   -9.31419e-08 
Ａ10=   -3.39604e-08  
第１２面
Ｋ =    0.000
Ａ4 =    6.27645e-04 
Ａ6 =   -1.98791e-06 
Ａ8 =    4.38006e-06
Ａ10=   -5.32650e-22  
第１６面
Ｋ =    0.000
Ａ4 =   -4.35107e-05 
Ａ6 =    1.25613e-05 
Ａ8 =   -5.34745e-07 
Ａ10=    9.44035e-09  
ズームデータ（∞）
ズーム比           6.78957 
f1           25.6636  
f2           -5.93358 
f3           10.1186  
f4           18.8057  
ＷＥ      ＳＴ      ＴＥ          
ｆ（mm）       6.58     16.39     44.70
ＦNO            3.40      4.79      4.85
２ω（°）    66.09     26.56      9.67
Ｉm             3.84      3.84      3.84
レンズ全長         40.245    47.889    48.804
BF              6.126     5.078     4.572
ｄ3               0.41      5.74     12.36
ｄ9              11.64      7.21      1.64
ｄ15              5.95     13.74     14.12
ｄ17              4.60      3.55      3.01
【０１９４】
実施例２
ｒ1 =  164.290            ｄ1 =  0.80     ｎd1 =  1.92286     νd1 =  18.90
ｒ2 =   42.006            ｄ2 =  0.10
ｒ3 =   20.528            ｄ3 =  3.23     ｎd2 =  1.69350     νd2 =  53.21
ｒ4 =  -36.130（非球面）  ｄ4 =（可変） 
ｒ5 =  -17.430（非球面）  ｄ5 =  0.80     ｎd3 =  1.83481     νd3 =  42.71
ｒ6 =    9.847（非球面）  ｄ6 =  0.89
ｒ7 =   14.810            ｄ7 =  1.96     ｎd4 =  1.92286     νd4 =  18.90
ｒ8 =  -53.551            ｄ8 =  0.45
ｒ9 =  -19.236            ｄ9 =  0.79     ｎd5 =  1.88300     νd5 =  40.76
ｒ10=   33.352            ｄ10=（可変） 
ｒ11=     ∞（絞り）      ｄ11=  0.14
ｒ12=    4.993（非球面）  ｄ12=  2.20     ｎd6 =  1.49700     νd6 =  81.54
ｒ13=  -16.289（非球面）  ｄ13=  0.10
ｒ14=    6.943            ｄ14=  1.95     ｎd7 =  1.51633     νd7 =  64.14
ｒ15=   32.067            ｄ15=  0.69     ｎd8 =  1.66680     νd8 =  33.05
ｒ16=    3.446            ｄ16=（可変） 
ｒ17=   21.059（非球面）  ｄ17=  1.95     ｎd9 =  1.69350     νd9 =  53.21
ｒ18=  -32.749（非球面）  ｄ18=（可変） 
ｒ19=     ∞              ｄ19=  0.40     ｎd10=  1.54771     νd10=  62.84
ｒ20=     ∞              ｄ20=  0.50
ｒ21=     ∞              ｄ21=  0.50     ｎd11=  1.51633     νd11=  64.14
ｒ22=     ∞              ｄ22=  0.37
ｒ23=     ∞（電子撮像素子の受光面、像面）
非球面係数
第４面
Ｋ =    0.000
Ａ4 =    3.55846e-05 
Ａ6 =   -7.84781e-08 
Ａ8 =    3.91858e-10 
Ａ10=   -1.35153e-12  
第５面
Ｋ =    0.000
Ａ4 =    5.30520e-05 
Ａ6 =    3.44321e-06
Ａ8 =   -2.64614e-09 
Ａ10=   -4.17059e-10  
第６面
Ｋ =    0.000
Ａ4 =   -2.90084e-04  
Ａ6 =    6.88077e-06 
Ａ8 =   -1.25164e-07 
Ａ10=    4.82695e-09  
第１２面
Ｋ =    0.000
Ａ4 =   -7.66431e-04 
Ａ6 =   -1.26220e-05 
Ａ8 =   -2.78834e-07  
Ａ10=    1.49151e-07  
第１３面
Ｋ =    0.000
Ａ4 =    5.71686e-04 
Ａ6 =   -3.43827e-06 
Ａ8 =    8.72738e-07 
Ａ10=    1.92117e-07  
第１７面
Ｋ =    0.000
Ａ4 =    3.70848e-04 
Ａ6 =   -6.68050e-06 
Ａ8 =   -1.18010e-06  
Ａ10=    3.67358e-08  
第１８面
Ｋ =    0.000
Ａ4 =    3.46958e-04 
Ａ6 =   -1.92683e-05 
Ａ8 =   -9.42946e-07  
Ａ10=    3.50981e-08  
ズームデータ（∞）
ズーム比           6.71196 
f1           27.7776
f2           -7.55699
f3           11.0757
f4           18.7603
ＷＥ      ＳＴ      ＴＥ          
ｆ（mm）       6.62     17.34     44.45
ＦNO            3.31      4.71      5.12
２ω（°）    67.99     25.35      9.83
Ｉm             3.84      3.84      3.84
レンズ全長         40.782    48.828    49.321
BF              6.861     5.547     4.623
ｄ4               0.63      6.95     13.62
ｄ10             14.36      8.68      1.67
ｄ16              2.87     11.59     13.34
ｄ18              5.46      4.07      3.17
【０１９５】
実施例３
ｒ1 =   24.013            ｄ1 =  0.80     ｎd1 =  1.92286     νd1 =  18.90
ｒ2 =   16.672            ｄ2 =  3.11     ｎd2 =  1.69350     νd2 =  53.21
ｒ3 =  -62.378（非球面）  ｄ3 =（可変） 
ｒ4 =  -17.392（非球面）  ｄ4 =  0.90     ｎd3 =  1.83481     νd3 =  42.71
ｒ5 =    8.527（非球面）  ｄ5 =  0.99
ｒ6 =   11.789            ｄ6 =  1.92     ｎd4 =  1.92286     νd4 =  18.90
ｒ7 =  776.551            ｄ7 =  0.44
ｒ8 =  -24.913            ｄ8 =  0.65     ｎd5 =  1.88300     νd5 =  40.76
ｒ9 =   33.289            ｄ9 =（可変） 
ｒ10=     ∞（絞り）      ｄ10=  0.14
ｒ11=    5.015（非球面）  ｄ11=  2.20     ｎd6 =  1.49700     νd6 =  81.54
ｒ12=  -14.334（非球面）  ｄ12=  0.10
ｒ13=    7.242            ｄ13=  1.95     ｎd7 =  1.51633     νd7 =  64.14
ｒ14=   26.272            ｄ14=  0.69     ｎd8 =  1.66680     νd8 =  33.05
ｒ15=    3.492            ｄ15=（可変） 
ｒ16=   22.562（非球面）  ｄ16=  1.95     ｎd9 =  1.69350     νd9 =  53.21
ｒ17=  -28.859（非球面）  ｄ17=（可変）
ｒ18=     ∞              ｄ18=  0.40     ｎd10=  1.54771     νd10=  62.84
ｒ19=     ∞              ｄ19=  0.50
ｒ20=     ∞              ｄ20=  0.50     ｎd11=  1.51633     νd11=  64.14
ｒ21=     ∞              ｄ21=  0.37
ｒ22=     ∞（電子撮像素子の受光面、像面）
非球面係数
第３面
Ｋ =    0.000
Ａ4 =    1.40060e-05 
Ａ6 =   -2.13786e-08 
Ａ8 =    6.13713e-11 
Ａ10=   -3.87157e-13  
第４面
Ｋ =    0.000
Ａ4 =    1.38945e-04 
Ａ6 =    2.77606e-06 
Ａ8 =   -2.50200e-08 
Ａ10=   -1.24310e-10  
第５面
Ｋ =    0.000
Ａ4 =   -2.09641e-04 
Ａ6 =    6.71803e-06 
Ａ8 =   -4.86344e-08 
Ａ10=    3.00306e-09  
第１１面
Ｋ =    0.000
Ａ4 =   -8.97936e-04 
Ａ6 =   -1.06205e-05 
Ａ8 =   -1.06557e-06 
Ａ10=    1.81692e-07  
第１２面
Ｋ =    0.000
Ａ4 =    5.00236e-04 
Ａ6 =    3.01203e-06 
Ａ8 =   -8.96053e-07 
Ａ10=    2.69843e-07  
第１６面
Ｋ =    0.000
Ａ4 =    3.00774e-04 
Ａ6 =   -5.89899e-06 
Ａ8 =   -1.66604e-06 
Ａ10=    5.94373e-08  
第１７面
Ｋ =    0.000
Ａ4 =    2.80909e-04 
Ａ6 =   -2.09921e-05 
Ａ8 =   -1.17115e-06 
Ａ10=    5.19021e-08  
ズームデータ（∞）
ズーム比          6.7234
f1          28.3083
f2          -7.32029
f3          10.752
f4          18.5467
ＷＥ      ＳＴ      ＴＥ          
ｆ（mm）       6.62     17.32     44.49
ＦNO            3.29      4.82      5.03
２ω（°）    67.41     25.23      9.77
Ｉm             3.84      3.84      3.84
レンズ全長         39.886    47.929    48.885
BF              6.709     5.278     4.635
ｄ3               0.68      6.67     13.55 
ｄ9              13.80      8.30      1.67 
ｄ15              2.86     11.83     13.19 
ｄ17              5.29      3.80      3.25 
【０１９６】
実施例４
ｒ1 =   23.006            ｄ1 =  0.80     ｎd1 =  1.92286     νd1 =  18.90
ｒ2 =   15.977            ｄ2 =  3.00     ｎd2 =  1.69350     νd2 =  53.21
ｒ3 =  -62.704（非球面）  ｄ3 =（可変） 
ｒ4 =  -22.989（非球面）  ｄ4 =  0.90     ｎd3 =  1.83481     νd3 =  42.71
ｒ5 =    8.008（非球面）  ｄ5 =  1.39
ｒ6 =   10.182            ｄ6 =  1.98     ｎd4 =  1.92286     νd4 =  18.90
ｒ7 =   62.378            ｄ7 =  0.73
ｒ8 =  -23.718            ｄ8 =  0.60     ｎd5 =  1.88300     νd5 =  40.76
ｒ9 =   25.162            ｄ9 =（可変） 
ｒ10=     ∞（絞り）      ｄ10=  0.14
ｒ11=    5.027（非球面）  ｄ11=  2.20     ｎd6 =  1.49700     νd6 =  81.54
ｒ12=  -12.074（非球面）  ｄ12=  0.10
ｒ13=    7.900            ｄ13=  1.95     ｎd7 =  1.51633     νd7 =  64.14
ｒ14=   33.216            ｄ14=  0.69     ｎd8 =  1.66680     νd8 =  33.05
ｒ15=    3.627            ｄ15=（可変）
ｒ16=   24.000（非球面）  ｄ16=  1.97     ｎd9 =  1.69350     νd9 =  53.21
ｒ17=  -26.936（非球面）  ｄ17=（可変）
ｒ18=     ∞              ｄ18=  0.40     ｎd10=  1.54771     νd10=  62.84
ｒ19=     ∞              ｄ19=  0.50
ｒ20=     ∞              ｄ20=  0.50     ｎd11=  1.51633     νd11=  64.14
ｒ21=     ∞              ｄ21=  0.37
ｒ22=     ∞（電子撮像素子の受光面、像面）
非球面係数
第３面
Ｋ =   0.000
Ａ4 =   1.59974e-05 
Ａ6 =  -4.42324e-08 
Ａ8 =   1.84410e-10 
Ａ10=  -3.58654e-13  
第４面
Ｋ =   0.000
Ａ4 =   5.75994e-05 
Ａ6 =  -9.85323e-07 
Ａ8 =   9.63724e-08 
Ａ10=  -1.08278e-09  
第５面
Ｋ =   0.000
Ａ4 =  -2.49956e-04 
Ａ6 =   7.63525e-06 
Ａ8 =  -6.41552e-07 
Ａ10=   2.11270e-08  
第１１面
Ｋ =   0.000
Ａ4 =  -1.07374e-03 
Ａ6 =   5.52660e-06 
Ａ8 =  -2.37896e-06 
Ａ10=   1.85262e-07  
第１２面
Ｋ =   0.000
Ａ4 =   4.77468e-04 
Ａ6 =   1.87922e-05 
Ａ8 =  -1.97636e-06 
Ａ10=   2.42875e-07  
第１６面
Ｋ =   0.000
Ａ4 =   2.46144e-05 
Ａ6 =   2.29610e-05 
Ａ8 =  -3.04556e-06 
Ａ10=   5.72624e-08  
第１７面 
Ｋ =   0.000
Ａ4 =   8.68126e-21 
Ａ6 =   7.52396e-06 
Ａ8 =  -2.43406e-06 
Ａ10=   4.93919e-08  
ズームデータ（∞）
ズーム比        6.71775
f1         27.4998
f2         -6.90604
f3         10.3788
f4         18.596
ＷＥ      ＳＴ      ＴＥ          
ｆ（mm）       6.63     11.51     44.55
ＦNO            3.30      4.73      5.25
２ω（°）    67.70     39.81      9.79
Ｉm             3.84      3.84      3.84
レンズ全長         39.435    42.683    49.282
BF              6.659     6.407     4.628
ｄ3               0.64      0.68     12.83
ｄ9              12.81      8.49      1.66
ｄ15              2.87     10.65     13.70
ｄ17              5.25      4.94      3.19
【０１９７】
実施例５
ｒ1 =   19.646            ｄ1 =  0.80     ｎd1 =  1.94595     νd1 =  17.98
ｒ2 =   13.881            ｄ2 =  3.70     ｎd2 =  1.74320     νd2 =  49.34
ｒ3 =  -90.270（非球面）  ｄ3 =（可変）
ｒ4 =  -33.942（非球面）  ｄ4 =  0.90     ｎd3 =  1.83481     νd3 =  42.71
ｒ5 =   12.719（非球面）  ｄ5 =  1.98
ｒ6 =  -12.262            ｄ6 =  0.61     ｎd4 =  1.88300     νd4 =  40.76
ｒ7 =   12.142            ｄ7 =  2.05     ｎd5 =  1.94595     νd5 =  17.98
ｒ8 = -150.000            ｄ8 =（可変） 
ｒ9 =     ∞（絞り）      ｄ9 =  0.30
ｒ10=    5.763（非球面）  ｄ10=  2.00     ｎd6 =  1.58313     νd6 =  59.46
ｒ11=  -15.446（非球面）  ｄ11=  0.15
ｒ12=    8.650            ｄ12=  2.10     ｎd7 =  1.69680     νd7 =  55.53
ｒ13=  -32.978            ｄ13=  0.40     ｎd8 =  1.68893     νd8 =  31.07
ｒ14=    3.627            ｄ14=（可変） 
ｒ15=   45.965（非球面）  ｄ15=  2.25     ｎd9 =  1.58313     νd9 =  59.46
ｒ16=  -12.050            ｄ16=（可変） 
ｒ17=     ∞              ｄ17=  0.50     ｎd10=  1.51633     νd10=  64.14
ｒ18=     ∞              ｄ18=  0.50
ｒ19=     ∞              ｄ19=  0.50     ｎd11=  1.51633     νd11=  64.14
ｒ20=     ∞              ｄ20=  0.37
ｒ21=     ∞（電子撮像素子の受光面、像面）
非球面係数
第３面
Ｋ =    0.000
Ａ4 =    1.72873e-05 
Ａ6 =    1.00905e-08
Ａ8 =   -1.35814e-09 
Ａ10=    1.33056e-11  
第４面
Ｋ =   -0.000
Ａ4 =    2.52626e-04
Ａ6 =   -1.14136e-06 
Ａ8 =    1.04373e-07
Ａ10=   -2.35489e-09  
第５面
Ｋ =    0.000
Ａ4 =    1.22053e-04 
Ａ6 =    7.13556e-06 
Ａ8 =    1.70641e-07  
第１０面
Ｋ =   -2.533
Ａ4 =    6.31518e-04
Ａ6 =   -5.74248e-07
Ａ8 =   -6.32104e-06  
第１１面
Ｋ =    0.000
Ａ4 =    0.000
Ａ6 =    0.000
Ａ8 =   -6.29881e-06  
Ａ10=    5.97918e-08  
第１５面
Ｋ =    0.000
Ａ4 =   -3.54293e-05 
Ａ6 =    5.19930e-06
Ａ8 =   -1.74258e-07 
Ａ10=    1.54906e-09  
ズームデータ（∞）
ズーム比        6.8648
f1         24.2064
f2        -6.19709
f3         10.2188
f4         16.6094
ＷＥ      ＳＴ      ＴＥ          
ｆ（mm）       6.62     17.07     45.48
ＦNO            3.04      4.20      4.96
２ω（°）    66.80     25.34      9.63
Ｉm             3.84      3.84      3.84
レンズ全長         40.046    46.812    48.948
BF              6.276     5.619     4.729
ｄ3               0.52      5.81     10.65
ｄ8              11.72      6.73      0.91
ｄ14              4.30     11.42     15.43
ｄ16              4.71      4.08      3.16
【０１９８】
実施例６
ｒ1 =   17.454            ｄ1 =  0.80     ｎd1 =  1.84666     νd1 =  23.78
ｒ2 =   12.865            ｄ2 =  3.88     ｎd2 =  1.59201     νd2 =  67.07
ｒ3 =  -58.235（非球面）  ｄ3 =（可変）
ｒ4 = -125.071（非球面）  ｄ4 =  0.90     ｎd3 =  1.83481     νd3 =  42.71
ｒ5 =    7.280（非球面）  ｄ5 =  1.86
ｒ6 =  -42.769            ｄ6 =  0.70     ｎd4 =  1.88300     νd4 =  40.76
ｒ7 =   10.119            ｄ7 =  0.21
ｒ8 =    8.750            ｄ8 =  1.79     ｎd5 =  1.94595     νd5 =  17.98
ｒ9 =   30.740            ｄ9 =（可変） 
ｒ10=     ∞（絞り）      ｄ10= -0.10
ｒ11=    5.514（非球面）  ｄ11=  2.47     ｎd6 =  1.58313     νd6 =  59.38
ｒ12=  -19.113（非球面）  ｄ12=  0.10
ｒ13=    8.251            ｄ13=  1.73     ｎd7 =  1.76200     νd7 =  40.10
ｒ14=  -15.102            ｄ14=  0.40     ｎd8 =  1.74077     νd8 =  27.79
ｒ15=    3.763            ｄ15=（可変） 
ｒ16=   18.149（非球面）  ｄ16=  1.89     ｎd9 =  1.74320     νd9 =  49.34
ｒ17=  -82.182            ｄ17=（可変） 
ｒ18=     ∞              ｄ18=  0.50     ｎd10=  1.51633     νd10=  64.14
ｒ19=     ∞              ｄ19=  0.50
ｒ20=     ∞              ｄ20=  0.50     ｎd11=  1.51633     νd11=  64.14
ｒ21=     ∞              ｄ21=  0.37
ｒ22=     ∞（電子撮像素子の受光面、像面）
非球面係数
第３面
Ｋ =    0.000
Ａ4 =    2.42732e-05
Ａ6 =   -2.68713e-08
Ａ8 =   -3.70576e-10 
Ａ10=    2.33544e-12  
第４面
Ｋ =    0.000
Ａ4 =   -5.85214e-04 
Ａ6 =    3.55846e-05
Ａ8 =   -7.79620e-07 
Ａ10=    6.21999e-09  
第５面
Ｋ =    0.286
Ａ4 =   -7.63152e-04 
Ａ6 =    4.21741e-05
Ａ8 =   -2.59939e-07
Ａ10=    1.70717e-08  
第１１面
Ｋ =   -0.783
Ａ4 =    3.23319e-05 
Ａ6 =    8.85408e-06 
Ａ8 =    1.44538e-06 
Ａ10=    7.70421e-10  
第１２面
Ｋ =    0.000
Ａ4 =    5.78909e-04 
Ａ6 =    7.07219e-06 
Ａ8 =    2.01554e-06 
Ａ10=    6.51954e-09  
第１６面
Ｋ =    0.000
Ａ4 =    7.79852e-05 
Ａ6 =    1.06241e-05
Ａ8 =   -6.34354e-07 
Ａ10=    1.43679e-08  
ズームデータ（∞）
ズーム比        6.69297
f1         26.0673
f2         -6.29533
f3         10.4655
f4         20.1648
ＷＥ      ＳＴ      ＴＥ          
ｆ（mm）       6.63     17.10     44.37
ＦNO            3.41      4.73      4.78
２ω（°）    67.32     25.96      9.74
Ｉm             3.84      3.84      3.84
レンズ全長         41.776    48.408    49.165
BF              5.677     6.466     4.523
ｄ3               0.28      5.68     12.52
ｄ9              13.05      6.95      1.85
ｄ15              6.15     12.70     13.65
ｄ17              4.18      4.99      3.04
【０１９９】
実施例７
ｒ1 =   24.029            ｄ1 =  0.80     ｎd1 =  1.92286     νd1 =  18.90
ｒ2 =   16.721            ｄ2 =  3.10     ｎd2 =  1.69350     νd2 =  53.21
ｒ3 =  -64.356（非球面）  ｄ3 =（可変） 
ｒ4 =  -19.034（非球面）  ｄ4 =  0.92     ｎd3 =  1.88300     νd3 =  40.76
ｒ5 =    8.072（非球面）  ｄ5 =  1.00
ｒ6 =   10.147            ｄ6 =  2.00     ｎd4 =  1.92286     νd4 =  18.90
ｒ7 =   70.885            ｄ7 =  0.48
ｒ8 =  -35.556            ｄ8 =  0.62     ｎd5 =  1.80610     νd5 =  40.92
ｒ9 =   26.083            ｄ9 =（可変） 
ｒ10=     ∞（絞り）      ｄ10=  0.14
ｒ11=    5.020（非球面）  ｄ11=  2.20     ｎd6 =  1.49700     νd6 =  81.54
ｒ12=  -14.716（非球面）  ｄ12=  0.10
ｒ13=    7.125            ｄ13=  1.95     ｎd7 =  1.51633     νd7 =  64.14
ｒ14=   26.539            ｄ14=  0.69     ｎd8 =  1.66680     νd8 =  33.05
ｒ15=    3.488            ｄ15=（可変） 
ｒ16=   23.816（非球面）  ｄ16=  1.94     ｎd9 =  1.69350     νd9 =  53.21
ｒ17=  -27.840（非球面）  ｄ17=（可変） 
ｒ18=     ∞              ｄ18=  0.40     ｎd10=  1.54771     νd10=  62.84
ｒ19=     ∞              ｄ19=  0.50
ｒ20=     ∞              ｄ20=  0.50     ｎd11=  1.51633     νd11=  64.14
ｒ21=     ∞              ｄ21=  0.37
ｒ22=     ∞（電子撮像素子の受光面、像面）
非球面係数
第３面
Ｋ =   0.000
Ａ4 =   1.35140e-05
Ａ6 =  -2.33435e-08 
Ａ8 =   1.23757e-10
Ａ10=  -8.10882e-13  
第４面
Ｋ =   0.000
Ａ4 =   1.30512e-04 
Ａ6 =   1.47815e-06
Ａ8 =  -6.81221e-10
Ａ10=  -2.70048e-10  
第５面
Ｋ =   0.000
Ａ4 =  -1.58194e-04 
Ａ6 =   5.63542e-06
Ａ8 =  -1.07321e-07 
Ａ10=   4.05133e-09  
第１１面
Ｋ =   0.000
Ａ4 =  -8.53942e-04
Ａ6 =  -6.82689e-06
Ａ8 =  -8.49045e-07 
Ａ10=   2.14012e-07  
第１２面
Ｋ =   0.000
Ａ4 =   5.35563e-04 
Ａ6 =   7.59298e-06
Ａ8 =  -6.23472e-07 
Ａ10=   3.16243e-07  
第１６面
Ｋ =   0.000
Ａ4 =   3.05386e-04
Ａ6 =  -6.20989e-06
Ａ8 =  -1.59636e-06 
Ａ10=   5.53535e-08  
第１７面
Ｋ =   0.000
Ａ4 =   2.79885e-04
Ａ6 =  -2.10615e-05
Ａ8 =  -1.08940e-06 
Ａ10=   4.72480e-08  
ズームデータ（∞）
ズーム比        6.73206
f1         28.5538
f2         -7.36557
f3         10.7549
f4         18.7978
ＷＥ      ＳＴ      ＴＥ          
ｆ（mm）       6.61     17.27     44.53
ＦNO            3.29      4.84      5.14
２ω（°）     67.18     25.30      9.78
Ｉm             3.84      3.84      3.84
レンズ全長         40.027    47.980    49.290
BF              6.712     5.260     4.638
ｄ3               0.67      6.69     13.63
ｄ9              13.82      8.27      1.67
ｄ15              2.87     11.81     13.39
ｄ17              5.24      3.77      3.22
【０２００】
実施例８
ｒ1 =   24.020            ｄ1 =  0.80     ｎd1 =  1.92286     νd1 =  18.90
ｒ2 =   16.572            ｄ2 =  3.08     ｎd2 =  1.69350     νd2 =  53.21
ｒ3 =  -68.334（非球面）  ｄ3 =（可変）  
ｒ4 =  -21.830（非球面）  ｄ4 =  0.90     ｎd3 =  1.83481     νd3 =  42.71
ｒ5 =    8.126（非球面）  ｄ5 =  1.00
ｒ6 =   12.507            ｄ6 =  2.01     ｎd4 =  1.92286     νd4 =  18.90
ｒ7 = -160.265            ｄ7 =  0.44
ｒ8 =  -27.890            ｄ8 =  0.65     ｎd5 =  1.88300     νd5 =  40.76
ｒ9 =   21.047            ｄ9 =（可変）  
ｒ10=     ∞（絞り）      ｄ10=  0.14
ｒ11=    5.061（非球面）  ｄ11=  2.20     ｎd6 =  1.49700     νd6 =  81.54
ｒ12=  -13.544（非球面）  ｄ12=（可変）
ｒ13=    7.030            ｄ13=  1.95     ｎd7 =  1.51633     νd7 =  64.14
ｒ14=   49.126            ｄ14=  0.69     ｎd8 =  1.66680     νd8 =  33.05
ｒ15=    3.499            ｄ15=（可変）
ｒ16=   23.559（非球面）  ｄ16=  2.01     ｎd9 =  1.69350     νd9 =  53.21
ｒ17=  -26.698（非球面）  ｄ17=（可変）
ｒ18=     ∞              ｄ18=  0.40     ｎd10=  1.54771     νd10=  62.84
ｒ19=     ∞              ｄ19=  0.50
ｒ20=     ∞              ｄ20=  0.50     ｎd11=  1.51633     νd11=  64.14
ｒ21=     ∞              ｄ21=  0.37
ｒ22=     ∞（電子撮像素子の受光面、像面）
非球面係数
第３面
Ｋ =    0.000
Ａ4 =    1.17380e-05
Ａ6 =   -2.24608e-08 
Ａ8 =    2.75549e-10
Ａ10=   -2.05321e-12  
第４面
Ｋ =    0.000
Ａ4 =   -9.11156e-05 
Ａ6 =    8.78426e-06
Ａ8 =   -1.22764e-07 
Ａ10=    5.28096e-10  
第５面
Ｋ =    0.000
Ａ4 =   -3.85803e-04 
Ａ6 =    4.49285e-06 
Ａ8 =    2.22686e-07
Ａ10=   -3.14604e-09  
第１１面
Ｋ =    0.000
Ａ4 =   -7.80650e-04
Ａ6 =   -1.15675e-05
Ａ8 =   -4.74312e-07 
Ａ10=    2.42119e-07  
第１２面
Ｋ =    0.000
Ａ4 =    6.50113e-04 
Ａ6 =    9.15799e-07 
Ａ8 =    7.50956e-08 
Ａ10=    3.30091e-07  
第１６面
Ｋ =    0.000
Ａ4 =    2.91274e-04
Ａ6 =   -5.95470e-06
Ａ8 =   -2.42391e-06 
Ａ10=    8.28202e-08  
第１７面
Ｋ =    0.000
Ａ4 =    2.44954e-04
Ａ6 =   -2.01991e-05
Ａ8 =   -1.81550e-06 
Ａ10=    6.89403e-08  
ズームデータ（∞）
ズーム比         6.73995
f1         29.1282
f2         -6.99367
f3          7.71607
f4        -11.0709
f5         18.3461
ｆ（mm）       6.61     17.26     44.55
ＦNO            3.26      4.84      5.14
２ω（°）     66.87     25.18      9.74
Ｉm             3.84      3.84      3.84
レンズ全長         39.613    47.505    49.236
BF              6.808     4.964     4.637
ｄ3               0.70      6.81     13.68
ｄ9              13.25      7.94      1.68
ｄ12              0.10      0.49      0.96
ｄ15              2.89     11.43     12.41
ｄ17              5.43      3.50      3.22
【０２０１】
以上の実施例１〜８の無限遠物点合焦時の収差図をそれぞれ図９〜図１６に示す。これらの収差図において、（ａ）は広角端、（ｂ）は本発明で定義する中間ズーム状態、（ｃ）は望遠端における球面収差、非点収差、歪曲収差、倍率色収差を示す。各図中、“ＦＩＹ”は最大像高を示す。“ω”は半画角を示す。
【０２０２】
次に、各実施例における条件式（１）〜（２２）の値を掲げる。
実施例1    実施例2    実施例3    実施例4  
(1)Δ２Ｇ_ws/ｆw             0.351      0.247      0.300      0.476   
(2)Δ２Ｇ_st/ｆt            -0.128     -0.138     -0.131     -0.124   
(A)Δ１Ｇ_ws／Δ２Ｇ_ws      3.308      4.863      4.026      1.011   
(B)Δ１Ｇ_st／Δ２Ｇ_st     -0.154     -0.086     -0.179     -1.197   
(C)Δ３Ｇ_ws／Δ２Ｇ_ws      2.916      4.470      3.771      2.369   
(D)Δ３Ｇ_st／Δ２Ｇ_st      0.028     -0.141     -0.138     -0.233    
(E)β4Gs／β4Gw              1.086      1.126      1.134      1.027 
(F)β3Gs／β3Gw              1.517      1.496      1.526      1.686 
(G)β3Gw                    -1.050     -0.943     -0.941     -0.978   
(H)β5Gs／β5Gw 
(I)β34Gs／β34Gw 
(J)β34Gw 
(3)ＳＦ2n1                   0.996      0.278      0.342      0.483    
(4)ｎd2n1                    1.835      1.835      1.835      1.835    
(5)νd2n1                   42.710     42.710     42.710     42.710    
(6)ｎd2n2                    1.88300    1.88300    1.88300    1.88300   
(7)νd2n2                   40.760     40.760     40.760     40.760    
(8)ｎd2p                     1.94595    1.92286    1.92286    1.92286   
(9)νd2p                    17.984     18.900     18.900     18.900    
(10)（｜asp2n1f｜＋｜asp2n1r|）／ｆw 
0.0122     0.0400     0.0334     0.0266     
(12)ｄ1np/ｄ1                0.000      0.024      0.000      0.000   
(13)ｎd1p                    1.59201    1.69350    1.69350    1.69350    
(14)νd1p                   67.069     53.210     53.210     53.210    
(15)ｎd1n                    1.84666    1.92286    1.92286    1.92286 
(16)νd1n                   23.780     18.900     18.900     18.900    
(17)｜ｆ2/ｆt｜              0.133      0.170      0.165      0.155   
(18)ｆ1/ｆt                  0.574      0.625      0.636      0.617    
(19)ｆ3/ｆt                  0.226      0.249      0.242      0.233   
(20)ｆRE/ｆt                 0.421      0.422      0.417      0.417   
(21)ｆt/ｆw                  6.790      6.712      6.723      6.718    
(22)Ｉm／ｆw                 0.583      0.580      0.580      0.579    
実施例5    実施例6    実施例7    実施例8  
(1)Δ２Ｇ_ws/ｆw             0.228      0.190      0.282      0.255 
(2)Δ２Ｇ_st/ｆt            -0.060     -0.137     -0.125     -0.114 
(A)Δ１Ｇ_ws／Δ２Ｇ_ws      4.507      5.282      4.225      4.635 
(B)Δ１Ｇ_st／Δ２Ｇ_st     -0.767     -0.124     -0.246     -0.352 
(C)Δ３Ｇ_ws／Δ２Ｇ_ws      4.312      5.845      3.974      4.160 
(D)Δ３Ｇ_st／Δ２Ｇ_st     -1.125      0.164     -0.185     -0.232 
(E)β4Gs／β4Gw              1.062      0.940      1.133
(F)β3Gs／β3Gw              1.522      1.831      1.531
(G)β3Gw                    -1.034     -0.973     -0.928 
(H)β5Gs／β5Gw                                               1.179 
(I)β34Gs／β34Gw                                             1.487 
(J)β34Gw                                                    -1.023 
(3)ＳＦ2n1                   0.455      0.890      0.404      0.457 
(4)ｎd2n1                    1.835      1.835      1.883      1.835 
(5)ｎd2n1                   42.710     42.710     40.760     42.710 
(6)ｎd2n2                    1.88300    1.88300    1.80610    1.88300 
(7)νd2n2                   40.760     40.760     40.920     40.760 
(8)ｎd2p                     1.94595    1.94595    1.92286    1.92286 
(9)νd2p                    17.984     17.984     18.900     18.900 
(10)（｜asp2n1f｜＋｜asp2n1r|）／ｆw
0.0469     0.0109     0.0282     0.0270 
(12)ｄ1np/ｄ1                0.000      0.000      0.000      0.000 
(13)ｎd1p                    1.74320    1.59201    1.69350    1.69350 
(14)νd1p                   49.340     67.069     53.210     53.210 
(15)ｎd1n                    1.94595    1.84666    1.92286    1.92286 
(16)νd1n                   17.984     23.780     18.900     18.900 
(17)｜ｆ2/ｆt｜              0.136      0.142      0.165      0.157 
(18)ｆ1/ｆt                  0.532      0.588      0.641      0.654 
(19)ｆ3/ｆt                  0.225      0.236      0.242      0.173 
(20)ｆRE/ｆt                 0.365      0.454      0.422      0.674
(21)ｆt/ｆw                  6.865      6.693      6.732      6.740 
(22)Ｉm／ｆw                 0.580      0.579      0.581      0.581 
【０２０３】
（歪曲収差の補正）
ところで、本発明のズームレンズを用いたときに、像の歪曲は電気的にデジタル補正する。以下に、像の歪曲をデジタル補正するための基本的概念について説明する。
【０２０４】
例えば、図１７に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０２０５】
例えば、図１７において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０２０６】
ここで、ｒ'（ω）は次のように表わすことができる。
ｒ'（ω）＝α・ｆ・ｔａｎω    （０≦α≦１）
ただし、
ωは被写体半画角、ｆは結像光学系（本発明では、ズームレンズ）の焦点距離である。
【０２０７】
ここで、前記半径Ｒの円上（像高）に対応する理想像高をＹとすると、
α＝Ｒ／Ｙ＝Ｒ／（ｆ・ｔａｎω）
となる。
【０２０８】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０２０９】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０２１０】
つまり、離散的座標点毎に表わされる画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０２１１】
このような方法は、特にズームレンズが有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０２１２】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０２１３】
なお、歪曲補正後の画像が短辺方向の両端において光量が極端に不足することのないようにするには、前記半径Ｒが、次の条件式を満足するのがよい。
【０２１４】
０≦Ｒ≦０．６Ｌs 
ただし、Ｌs は有効撮像面の短辺の長さである。
【０２１５】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、実質画像数の面で若干の不利があるが、広角化しても小型化にするための効果は確保できる。
【０２１６】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０２１７】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０２１８】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０２１９】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０２２０】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０２２１】
（デジタルカメラ）
図１８〜図２０は、以上のようなズームレンズを撮影光学系１４１に組み込んだ本発明によるデジタルカメラの構成の概念図を示す。図１８はデジタルカメラ１４０の外観を示す前方斜視図、図１９は同後方正面図、図２０はデジタルカメラ１４０の構成を示す模式的な断面図である。ただし、図１８と図２０においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図２０の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０２２２】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０２２３】
このように構成されたデジタルカメラ１４０は、撮影光学系１４１が本発明により、沈胴時に厚みを極めて薄く、高変倍で全変倍域で結像性能を極めて安定的であるあるので、高性能・小型化・広角化が実現できる。
【０２２４】
（内部回路構成）
図２１は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０２２５】
図２１に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０２２６】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０２２７】
操作部１１２は各種の入力ボタンやスイッチを備え、これらの入力ボタンやスイッチを介して外部（カメラ使用者）から入力されるイベント情報を制御部に通知する回路である。
【０２２８】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０２２９】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０２３０】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０２３１】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０２３２】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０２３３】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０２３４】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【産業上の利用可能性】
【０２３５】
以上のように、本発明は、カメラの薄型化を行い易いように配慮された、７倍程度の高変倍比を持つズームレンズに有用である。
【図面の簡単な説明】
【０２３６】
【図１】本発明のズームレンズの実施例１の無限遠物点合焦時の広角端（ａ）、本発明で定義する中間ズーム状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】実施例１の無限遠物点合焦時の収差図である。
【図１０】実施例２の無限遠物点合焦時の収差図である。
【図１１】実施例３の無限遠物点合焦時の収差図である。
【図１２】実施例４の無限遠物点合焦時の収差図である。
【図１３】実施例５の無限遠物点合焦時の収差図である。
【図１４】実施例６の無限遠物点合焦時の収差図である。
【図１５】実施例７の無限遠物点合焦時の収差図である。
【図１６】実施例８の無限遠物点合焦時の収差図である。
【図１７】歪曲収差の補正を説明する図である。
【図１８】本発明によるズームレンズを組み込んだデジタルカメラの外観を示す前方斜視図である。
【図１９】図１８のデジタルカメラの後方斜視図である。
【図２０】図１８のデジタルカメラの断面図である。
【図２１】デジタルカメラの主要部の内部回路の構成ブロック図である。
【図２２】本発明の結像光学系（ズームレンズ）の機能を説明する図である。
【図２３】本発明の結像光学系（ズームレンズ）の機能を説明する他の図である。
【図２４】非球面偏倚量を説明する図である。
【符号の説明】
【０２３７】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2008209773.tif 000003
【図２】
2008209773.tif 000004
【図３】
2008209773.tif 000005
【図４】
2008209773.tif 000006
【図５】
2008209773.tif 000007
【図６】
2008209773.tif 000008
【図７】
2008209773.tif 000009
【図８】
2008209773.tif 000010
【図９】
2008209773.tif 000011
【図１０】
2008209773.tif 000012
【図１１】
2008209773.tif 000013
【図１２】
2008209773.tif 000014
【図１３】
2008209773.tif 000015
【図１４】
2008209773.tif 000016
【図１５】
2008209773.tif 000017
【図１６】
2008209773.tif 000018
【図１７】
2008209773.tif 000019
【図１８】
2008209773.tif 000020
【図１９】
2008209773.tif 000021
【図２０】
2008209773.tif 000022
【図２１】
2008209773.tif 000023
【図２２】
2008209773.tif 000024
【図２３】
2008209773.tif 000025
【図２４】
2008209773.tif 000026